(57)【要約】  無指向性通信ネットワークを使用して指向性通信ネットワークの発見を支援する方法が提供される。この方法は、第１のプロトコル（１２４）を使用して１つ以上の装置に関する接続性情報を得ることと、第２のプロトコル（１１２）を使用して指向性通信のために上記１つ以上の装置のうちの１つとセッションを確立することとを含むことができ、ここで、第１のプロトコルは、第２のプロトコル（１１２）とは異なる。【選択図】      図１
2013511914.tif 000002
【特許請求の範囲】
【請求項１】
第１のプロトコルを使用して１つ以上の装置に関する接続性情報を得ることと、
第２のプロトコルを使用して指向性通信のために前記１つ以上の装置のうちの１つとセッションを確立することと
を含み、前記第１のプロトコルは、前記第２のプロトコルとは異なる、無線通信方法。
【請求項２】
前記接続性情報は、初期接続性情報を送信することと、前記送信された初期接続性情報に応答して前記接続性情報を受信することとによって得られる、請求項１に記載の方法。
【請求項３】
前記接続性情報は、前記第１のプロトコルを使用して、複数のチャネルにわたり、前記１つ以上の装置のうちの少なくとも１つに関連づけられたビーコン信号をスキャンすることによって得られる、請求項１に記載の方法。
【請求項４】
前記接続性情報は、プローブ要求を送信することと、前記１つ以上の装置から少なくとも１つのプローブ応答を受信することとによって得られる、請求項１に記載の方法。
【請求項５】
前記接続性情報は、前記１つ以上の装置に関するデバイス識別子を含む、請求項１に記載の方法。
【請求項６】
前記接続性情報は、前記１つ以上の装置に関する媒体アクセス制御層アドレスを含む、請求項１に記載の方法。
【請求項７】
前記接続性情報は、前記１つ以上の装置に関する位置情報を含む、請求項１に記載の方法。
【請求項８】
前記位置情報は、前記第１のプロトコルを使用し、受信信号強度インジケータ（ＲＳＳＩ）測定値を使用して決定される、請求項７に記載の方法。
【請求項９】
前記位置情報は、前記第１のプロトコルを使用して得られたラウンドトリップ遅延時間測定値を使用して決定される、請求項７に記載の方法。
【請求項１０】
前記ラウンドトリップ遅延時間測定値は、リクエスト・ツー・センド・メッセージの発信時間と、クリア・ツー・センド・メッセージの到着時間とを使用して得られる、請求項９に記載の方法。
【請求項１１】
前記ラウンドトリップ遅延時間測定値は、プローブメッセージの発信および肯定応答メッセージの到着時間を使用して得られる、請求項９に記載の方法。
【請求項１２】
前記接続性情報は、
前記１つ以上の装置に関するタイミング情報と、
前記１つ以上の装置のために利用可能なアンテナの数と、
前記１つ以上の装置のための通信に利用可能な方向と、
前記１つ以上の装置に関する第２のプロトコルの互換性情報と、
前記１つ以上の装置のために利用可能な第２のプロトコルのチャネルのリストと、または、
前記１つ以上の装置に関する認証情報と
のうちの少なくとも１つを含む、請求項１に記載の方法。
【請求項１３】
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、請求項１に記載の方法。
【請求項１４】
前記セッションの確立は、
前記１つ以上の装置のうちの１つを選択することと、
前記第２のプロトコルに関連づけられたトランシーバをアクティベートするよう前記選択されたノードを促すために、前記第１のプロトコルを使用して、セッション開始メッセージを送信することと、
前記１つ以上の装置のうちの前記選択された１つからビーコン情報を受信することと、
前記１つ以上の装置のうちの前記選択された１つとのビームトレーニングを実行することと
を含む、請求項１に記載の方法。
【請求項１５】
前記１つ以上の装置のうちの１つは、
最も高い第１のプロトコルリンク品質と、
定められた機能と、または、
定められたデバイス識別子と
のうちの少なくとも１つに基づいて選択される、請求項１４に記載の方法。
【請求項１６】
前記指向性通信は、定められた放射状の範囲内にフォーカスされた前記セッションにおける通信を含む、請求項１に記載の方法。
【請求項１７】
前記定められた放射状の範囲は、前記１つ以上の装置のうちの１つとのビームトレーニングによって決定される、請求項１６に記載の方法。
【請求項１８】
第１のプロトコルを使用して１つ以上の装置に関する接続性情報を得て、
第２のプロトコルを使用して指向性通信のために前記１つ以上の装置のうちの１つとセッションを確立する
ために実行可能なコードを含むコンピュータ可読媒体
を含み、前記第１のプロトコルは、前記第２のプロトコルとは異なる、コンピュータプログラム製品。
【請求項１９】
第１のプロトコルを使用して１つ以上の装置に関する接続性情報を得るための手段と、
第２のプロトコルを使用して指向性通信のために前記１つ以上の装置のうちの１つとセッションを確立するための手段と
を含み、前記第１のプロトコルは、前記第２のプロトコルとは異なる、無線通信のための装置。
【請求項２０】
前記得るための手段は、
初期接続性情報を送信するための手段と、
前記送信された初期接続性情報に応答して前記接続性情報を受信するための手段と
をさらに含む、請求項１９に記載の装置。
【請求項２１】
前記得るための手段は、前記第１のプロトコルを使用して、複数のチャネルにわたり、前記１つ以上の装置のうちの少なくとも１つに関連づけられたビーコン信号をスキャンするための手段をさらに含む、請求項１９に記載の装置。
【請求項２２】
前記得るための手段は、
プローブ要求を送信するための手段と、
前記１つ以上の装置から少なくとも１つのプローブ応答を受信するための手段と
をさらに含む、請求項１９に記載の装置。
【請求項２３】
前記接続性情報は、前記１つ以上の装置に関するデバイス識別子を含む、請求項１９に記載の装置。
【請求項２４】
前記接続性情報は、前記１つ以上の装置に関する媒体アクセス制御層アドレスを含む、請求項１９に記載の装置。
【請求項２５】
前記接続性情報は、前記１つ以上の装置に関する位置情報を含む、請求項１９に記載の装置。
【請求項２６】
前記第１のプロトコルを使用し、ＲＳＳＩ測定値を使用して前記位置情報を決定するための手段をさらに含む、請求項２５に記載の装置。
【請求項２７】
前記第１のプロトコルを使用して得られたラウンドトリップ遅延時間測定値を使用して前記位置情報を決定するための手段をさらに含む、請求項２５に記載の装置。
【請求項２８】
リクエスト・ツー・センド・メッセージの発信時間と、クリア・ツー・センド・メッセージの到着時間とを使用して、前記ラウンドトリップ遅延時間測定値を得るための手段をさらに含む、請求項２７に記載の装置。
【請求項２９】
プローブメッセージの発信および肯定応答メッセージの到着時間を使用して、前記ラウンドトリップ遅延時間測定値を得るための手段をさらに含む、請求項２７に記載の装置。
【請求項３０】
前記接続性情報は、
前記１つ以上の装置に関するタイミング情報と、
前記１つ以上の装置のために利用可能なアンテナの数と、
前記１つ以上の装置のための通信に利用可能な方向と、
前記１つ以上の装置に関する第２のプロトコルの互換性情報と、
前記１つ以上の装置のために利用可能な第２のプロトコルのチャネルのリストと、または、
前記１つ以上の装置に関する認証情報と
のうちの少なくとも１つを含む、請求項１９に記載の装置。
【請求項３１】
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、請求項１９に記載の装置。
【請求項３２】
前記確立するための手段は、
前記１つ以上の装置のうちの１つを選択するための手段と、
前記第２のプロトコルに関連づけられたトランシーバをアクティベートするよう前記選択されたノードを促すために、前記第１のプロトコルを使用して、セッション開始メッセージを送信するための手段と、
前記１つ以上の装置のうちの前記選択された１つからビーコン情報を受信するための手段と、
前記１つ以上の装置のうちの前記選択された１つとのビームトレーニングを実行するための手段と
をさらに含む、請求項１９に記載の装置。
【請求項３３】
前記１つ以上の装置のうちの１つは、
最も高い第１のプロトコルリンク品質と、
定められた機能と、または、
定められたデバイス識別子と
のうちの少なくとも１つに基づいて選択される、請求項３２に記載の装置。
【請求項３４】
前記指向性通信は、定められた放射状の範囲内にフォーカスされた前記セッションにおける通信を含む、請求項１９に記載の装置。
【請求項３５】
前記定められた放射状の範囲は、前記１つ以上の装置のうちの１つとのビームトレーニングによって決定される、請求項３４に記載の装置。
【請求項３６】
アンテナと、
前記アンテナに結合された処理システムであって、
第１のプロトコルを使用して１つ以上の装置に関する接続性情報を得て、
第２のプロトコルを使用して指向性通信のために前記１つ以上の装置のうちの１つとセッションを確立する
ように構成された処理システムと
を含み、前記第１のプロトコルは、前記第２のプロトコルとは異なる、局。
【請求項３７】
無線通信のための装置であって、
第１のプロトコルを使用して１つ以上の装置に関する接続性情報を得て、
第２のプロトコルを使用して指向性通信のために前記１つ以上の装置のうちの１つとセッションを確立する
ように構成された処理システムを含み、前記第１のプロトコルは、前記第２のプロトコルとは異なる、装置。
【請求項３８】
初期接続性情報を送信し、
前記送信された初期接続性情報に応答して前記接続性情報を受信する
ように構成されたトランシーバをさらに含む、請求項３７に記載の装置。
【請求項３９】
前記第１のプロトコルを使用して、複数のチャネルにわたり、前記１つ以上の装置のうちの少なくとも１つに関連づけられたビーコン信号をスキャンするように構成されたトランシーバをさらに含む、請求項３７に記載の装置。
【請求項４０】
プローブ要求を送信し、
前記１つ以上の装置から少なくとも１つのプローブ応答を受信する
ように構成されたトランシーバをさらに含む、請求項３７に記載の装置。
【請求項４１】
前記接続性情報は、前記１つ以上の装置に関するデバイス識別子を含む、請求項３７に記載の装置。
【請求項４２】
前記接続性情報は、前記１つ以上の装置に関する媒体アクセス制御層アドレスを含む、請求項３７に記載の装置。
【請求項４３】
前記接続性情報は、前記１つ以上の装置に関する位置情報を含む、請求項３７に記載の装置。
【請求項４４】
前記処理システムは、前記第１のプロトコルを使用し、ＲＳＳＩ測定値を使用して前記位置情報を決定するようにさらに構成されている、請求項４３に記載の装置。
【請求項４５】
前記処理システムは、前記第１のプロトコルを使用して得られたラウンドトリップ遅延時間測定値を使用して前記位置情報を決定するようにさらに構成されている、請求項４３に記載の装置。
【請求項４６】
前記処理システムは、リクエスト・ツー・センド・メッセージの発信時間と、クリア・ツー・センド・メッセージの到着時間とを使用して、前記ラウンドトリップ遅延時間測定値を得るようにさらに構成されている、請求項４５に記載の装置。
【請求項４７】
前記処理システムは、プローブメッセージの発信および肯定応答メッセージの到着時間を使用して、前記ラウンドトリップ遅延時間測定値を得るようにさらに構成されている、請求項４５に記載の装置。
【請求項４８】
前記接続性情報は、
前記１つ以上の装置に関するタイミング情報と、
前記１つ以上の装置のために利用可能なアンテナの数と、
前記１つ以上の装置のための通信に利用可能な方向と、
前記１つ以上の装置に関する第２のプロトコルの互換性情報と、
前記１つ以上の装置のために利用可能な第２のプロトコルのチャネルのリストと、または、
前記１つ以上の装置に関する認証情報と
のうちの少なくとも１つを含む、請求項３７に記載の装置。
【請求項４９】
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、請求項３７に記載の装置。
【請求項５０】
前記処理システムは、前記１つ以上の装置のうちの１つを選択するようにさらに構成され、
トランシーバであって、
前記第２のプロトコルに関連づけられたトランシーバをアクティベートするよう前記選択されたノードを促すために、前記第１のプロトコルを使用して、セッション開始メッセージを送信し、
前記１つ以上の装置のうちの前記選択された１つからビーコン情報を受信する
ように構成されたトランシーバ
をさらに含み、
前記処理システムは、前記１つ以上の装置のうちの前記選択された１つとのビームトレーニングを実行するようにさらに構成されている、請求項３１に記載の装置。
【請求項５１】
前記１つ以上の装置のうちの１つは、
最も高い第１のプロトコルリンク品質と、
定められた機能と、または、
定められたデバイス識別子と
のうちの少なくとも１つに基づいて選択される、請求項５０に記載の装置。
【請求項５２】
前記指向性通信は、定められた放射状の範囲内にフォーカスされた前記セッションにおける通信を含む、請求項３７に記載の装置。
【請求項５３】
前記処理システムは、前記１つ以上の装置のうちの１つとのビームトレーニングによって前記定められた放射状の範囲を決定するようにさらに構成されている、請求項５２に記載の装置。
【発明の詳細な説明】
【背景技術】
【０００１】
本特許出願は、２００９年１１月２０日に出願された「ネットワークの発見を支援するための方法および装置」と題する米国仮出願番号第６１／２６３，２５８号、および２０１０年２月１日に出願された「ネットワークの発見を支援するための方法および装置」と題する米国仮出願番号第６１／３００，１９８号の優先権を主張し、それらの全内容は、引用により本明細書に明確に組み込まれる。
【技術分野】
【０００２】
本開示は、一般的に、通信システムに関し、より具体的には、無指向性（omni-directional）通信ネットワークを使用して指向性（directional）通信ネットワークの発見を支援することに関する。
【０００３】
無線通信システムのために必要とされる、増えつつある帯域幅の要求の問題に対処するために、複数のユーザー端末に、高いデータスループットを実現しながら、チャネルリソースを共有することにより通信することを可能にさせるための、異なるスキームが開発されている。多入力多出力（ＭＩＭＯ）技術は、近年、次世代通信システムのためのポピュラーな技術として台頭してきた、そのような１つのアプローチの代表である。ＭＩＭＯ技術は、電気電子技術者協会（ＩＥＥＥ）８０２．１１規格といった、いくつかの新たな無線通信規格において採用されている。ＩＥＥＥ８０２．１１は、短距離（たとえば、数十メートルから数百メートル）での通信のためにＩＥＥＥ８０２．１１委員会によって開発された無線ローカルエリアネットワーク（ＷＬＡＮ）エアインターフェース規格のセット、たとえば、８０２．１１ａｄ／ａｃ／ａ／ｂ／ｇ／ｎのことを言う。
【０００４】
一般的に、ＩＥＥＥ８０２．１１規格によって規定されている無線通信システムは、局（ＳＴＡ）とも呼ばれる異なるデバイス間の通信を管理するアクセスポイント（ＡＰ：access point）／ポイント調整機能（ＰＣＦ：point coordination function）といった中央（central）エンティティを有する。中央（central）エンティティを有することにより、通信プロトコルの設計を簡易化することができる。また、ビーコン信号の送信が可能なデバイスはいずれもＡＰとしての役割を果たすことができるが、ＡＰは、有効（effective）となるために、ネットワークにおけるすべてのＳＴＡとの良好なリンク品質を有する必要があり得る。信号の減衰が比較的激しい高周波数では、通信は、性質上、指向性を有し、利得を増大させるためにビームフォーミング（たとえば、ビームトレーニング（beam training））を使用することができる。それゆえ、ＡＰは、有効となるために下記の責任を分類し得る。ＡＰは、大きなセクタ範囲（たとえば、広いステアリング能力）を有し得る。ＡＰは、大きなビームフォーミング利得（たとえば、複数のアンテナ）を有し得る。ＡＰは、ネットワークにおけるほとんどのエリアへの視線経路が存在するように、たとえば天井に取り付けられ得る。ＡＰは、定期的なビーコン送信および他の管理機能のために、安定した電源を使用し得る。
【０００５】
モバイル無線通信デバイス（ＷＣＤ：wireless communications device）（たとえば、ラップトップ、スマートフォン、等）は、コスト、パワー、フォームファクタ、等といったファクターゆえに、従来のＡＰの能力に対し、比較上、減じられた能力を有し得る。たとえば、アンテナステアリング能力は小さなセクタ範囲に限られ、利用可能なパワーは限られ、位置も変わりやすい、といった具合である。これらの制限にも関わらず、ＷＣＤは、たとえば、サイドローディング（side-loading）、ファイルシェアリング（file sharing）、等といったさまざまな目的で、ピアツーピアネットワークを形成するために、ＡＰとして動作することを要求され得る。
【０００６】
いくつかの無線通信システムにおいて、ＷＣＤは、異なる周波数のトランシーバ、たとえば、６０ＧＨｚのトランシーバ、２．４ＧＨｚのトランシーバ、５ＧＨｚのトランシーバ、等を有するマルチモード無線機を備え得る。より高い周波数の通信が指向性を持って実行され得る一方、より低い周波数の通信は指向性を持たずに実行され得るので、指向性プロトコルを使用して通信を特定し、セットアップするために、無指向性プロトコルに基づいたネットワークを使用することが、有用であり得る。
【発明の概要】
【０００７】
１つ以上の態様の基本的な理解を提供するために、そのような態様の簡潔な概要を以下に提示する。この概要は、意図されたすべての態様の広範な概観ではなく、すべての態様の重要なまたは決定的な要素を特定することも、任意のまたはすべての態様の範囲を詳細に説明することも意図していない。その唯一の目的は、１つ以上の態様のいくつかの概念を、後に提示されるより詳細な説明への前置きとして、簡潔なかたちで提示することである。
【０００８】
１つ以上の態様およびそれに対応する開示により、無指向性通信ネットワークを使用して指向性通信ネットワークの発見を支援することに関連する、さまざまな態様が説明される。１つの態様によると、無指向性通信ネットワークを使用して指向性通信ネットワークの発見を支援するための方法が提供される。この方法は、第１のプロトコルを使用して１つ以上の装置に関する接続性情報を得ることを含み得る。さらに、この方法は、第２のプロトコルを使用して指向性通信のために上記１つ以上の装置のうちの１つとセッションを確立することを含むことができ、ここで、第１のプロトコルは、第２のプロトコルとは異なる。
【０００９】
別の態様は、コンピュータ可読媒体を含むコンピュータプログラム製品に関する。コンピュータ可読媒体は、第１のプロトコルを使用して１つ以上の装置に関する接続性情報を得るために実行可能なコードを含む。さらに、このコンピュータ可読媒体は、第２のプロトコルを使用して指向性通信のために上記１つ以上の装置のうちの１つとセッションを確立するために実行可能なコードを含み、ここで、第１のプロトコルは、第２のプロトコルとは異なる。
【００１０】
さらなる別の態様は、装置に関する。この装置は、第１のプロトコルを使用して１つ以上の装置に関する接続性情報を得るための手段を含み得る。さらに、この装置は、第２のプロトコルを使用して指向性通信のために上記１つ以上の装置のうちの１つとセッションを確立するための手段を含むことができ、ここで、第１のプロトコルは、第２のプロトコルとは異なる。
【００１１】
別の態様は、局に関する。この局は、アンテナを含み得る。さらに、この局は、第１のプロトコルを使用して１つ以上の装置に関する接続性情報を得て、第２のプロトコルを使用して指向性通信のために上記１つ以上の装置のうちの１つとセッションを確立するように構成された、上記アンテナに結合された処理システムを含むことができ、ここで、第１のプロトコルは、第２のプロトコルとは異なる。
【００１２】
別の態様は、装置に関する。この装置は、第１のプロトコルを使用して１つ以上の装置に関する接続性情報を得て、第２のプロトコルを使用して指向性通信のために上記１つ以上の装置のうちの１つとセッションを確立するように構成された、処理システムを含むことができ、ここで、第１のプロトコルは、第２のプロトコルとは異なる。
【００１３】
上述のおよび関連する目的を実現するために、上記１つ以上の態様は、以下に十分に説明され、かつ特許請求の範囲において特に指摘されている特徴を含む。下記の説明および付属の図面は、１つ以上の態様のある特定の例示的な特徴を詳細に説明する。しかしながら、これらの特徴は、さまざまな態様の原理が使用され得るさまざまな手法のほんの少数を示すものであり、この説明は、そのようなすべての態様およびそれらの同等物を含むことを意図する。
【００１４】
本発明のこれらの態様および他の例示的な態様が、以下の詳細な説明および付属の図面において説明される。
【図面の簡単な説明】
【００１５】
【図１】図１は、ある態様に係る通信ネットワークのブロック図である。
【図２】図２は、無指向性通信ネットワークを使用して指向性通信ネットワークの発見を支援することを示す通信ネットワークのある態様のフローチャートである。
【図３】図３は、無線通信デバイスのブロック図による例示的なアーキテクチャである。
【図４】図４は、ある態様に係る接続性支援システムの例示的なブロック図である。
【図５】図５は、無線ノードの別のブロック図による例示的なアーキテクチャである。
【図６】図６は、無線ノードにおける処理システムのためのハードウェア構成の一例を示す概念図である。
【図７】図７は、例示的な装置の機能を示す概念的なブロック図である。
【詳細な説明】
【００１６】
慣例にならい、図面のいくつかは、明確性のために簡潔にされ得る。したがって、図面は、所与の装置（たとえば、デバイス）または方法のコンポーネントのすべてを示していない場合もある。最後に、同一の参照番号は、明細書および図面を通して同一の特徴を表すために使用され得る。
【００１７】
方法および装置のさまざまな態様が、添付の図面を参照し、下記においてさらに十分に説明される。しかしながら、これらの方法および装置は、多くの異なるかたちで具現化されることができ、この開示を通して提示される任意の特定の構造または機能に限定されるものと解釈されるべきではない。そうではなく、これらの態様は、この開示が、完璧かつ完全であるように、そして、これらの方法および装置の範囲を当業者に十分に教授するように、提供される。本明細書における説明および教示に基づいて、当業者は、ここに開示された方法および装置の任意の態様が、本開示の任意の他の態様と独立して実現されようと、それらとの組み合わせで実現されようと、本開示の範囲が、それらの態様をカバーすることを意図していると理解すべきである。たとえば、ここに説明された任意の数の態様を使用して、装置が実現されることができ、または、方法が現実化されることができる。さらに、本開示の範囲は、他の構造や機能、または、ここに説明される開示のさまざまな態様に追加された構造および機能、または、ここに説明される開示のさまざまな態様とは異なる構造および機能を使用して現実化された、そのような装置または方法をカバーすることを意図している。ここでの開示の任意の態様が、請求項の１つ以上の要素によって具現化され得ることが理解されるべきである。
【００１８】
無線ネットワークのいくつかの態様が、ここでは図１を参照して提示される。無線通信システム１００が、概してノード１１０および１３０と表されたいくつかの無線ノードと、概してＷＬＡＮデバイス、基地局、等である無線ネットワークデバイス１２０とともに示され、ここで、いくつかのノード１１０、１３０は、いくつかのネットワーク１１２、１２２に関連づけられた、いくつかのプロトコル１１８、１２４を使用して通信することができる。無線ノード１１０、１３０は、ここで使用される場合、ＷＣＤ、ユーザー機器（ＵＥ）、ラップトップ、等と呼ばれることができる。各無線ノードは、受信および／または送信することができる。下記の詳細な説明において、下りリンク通信では、「アクセスポイント」という用語は、送信ノードを示すために使用され、「アクセス端末」という用語は、受信ノードを示すために使用されるが、上りリンク通信では、「アクセスポイント」という用語は、受信ノードを示すために使用され、「アクセス端末」という用語は、送信ノードを示すために使用される。しかしながら、当業者は、他の専門用語または学術用語がアクセスポイントおよび／またはアクセス端末のために使用され得ることを容易に理解するだろう。例として、アクセスポイントは、基地局、基地トランシーバ局、局、端末、ノード、アクセスポイントとして動作するアクセス端末、ＷＬＡＮデバイス、または何らかの他の適切な専門用語で呼ばれることができる。アクセス端末は、ユーザー端末、移動局、加入者局、局、無線デバイス、端末、ノード、または何らかの他の適切な専門用語で呼ばれることができる。この開示を通して説明されるさまざまな概念は、すべての適切な無線ノードに、それらの特定の学術用語に関係なく、適用されることが意図される。
【００１９】
無線通信システム１００は、ある地理的領域全体にわたって分散したアクセス端末をサポートすることができる。接続性支援システム１２０は、他のネットワーク（たとえば、インターネット）へのアクセスだけでなく、アクセス端末の調整および制御を提供するために使用されることができる。アクセス端末は、固定であることもモバイルであることもでき、アクセスポイントのバックホールサービスを使用することも、または、他のアクセス端末とピアツーピア通信を行うこともできる。アクセス端末の例には、電話（たとえば、セルラー電話）、ラップトップコンピュータ、デスクトップコンピュータ、携帯情報端末（ＰＤＡ）、デジタルオーディオプレイヤー（たとえば、ＭＰ３プレイヤー）、カメラ、ゲーム機器、または任意の他の適切な無線ノードが含まれる。
【００２０】
動作において、アクセス端末１１０は、指向性に基づくプロトコル１１２を使用してアクセス端末１３０との通信セッション１１８を確立することを求め得る。この通信セッションの確立を容易にするために、アクセス端末１１０は、無指向性プロトコル１２４を使用して、接続性支援システム１２０と通信し得る。そのような態様において、アクセス端末１１０は、無指向性プロトコル１２４が、指向性に基づくプロトコルのネットワークカバレッジ領域１１２よりも大きなネットワークカバレッジ領域１２２を有し得るので、無指向性プロトコル１２４を使用し得る。さらに、接続性支援システム１２０は、さまざまなアクセス端末１３０、等に関連づけられた接続性情報１２６を提供することができ、それは、指向性に基づくプロトコルを使用する通信１１８のために利用可能であり得る。接続性情報１２６は、１つ以上のアクセス端末１３０に関するデバイス識別子、１つ以上のアクセス端末１３０に関する媒体アクセス制御層アドレス、１つ以上のアクセス端末１３０に関する位置情報、１つ以上のアクセス端末１３０に関するタイミング情報、１つ以上のアクセス端末１３０のために利用可能なアンテナの数、１つ以上のアクセス端末１３０のための通信に利用可能な方向（directions）、１つ以上のアクセス端末１３０に関する指向性に基づくプロトコルの互換性情報、１つ以上のアクセス端末１３０のための通信に利用可能な指向性に基づくプロトコルのチャネルのリスト、等を含むことができる。１つの態様において、１つ以上のアクセス端末１３０に関する位置情報は、無指向性プロトコル１２４からの受信信号強度インジケータ（ＲＳＳＩ：received signal strength indicator）測定値を使用して、決定されることができる。別の態様において、１つ以上のアクセス端末１３０に関する位置情報は、無指向性プロトコル１２４に関連づけられたラウンドトリップ遅延時間測定値を使用して、決定されることができる。１つの態様において、無指向性プロトコルは、リクエスト・ツー・センド（ＲＴＳ：request to send）およびクリア・ツー・センド（ＣＴＳ：clear to send）メッセージの使用を含むことができる。そのような態様において、ラウンドトリップ遅延値は、ＲＴＳメッセージの発信時間およびＣＴＳメッセージの到着時間を使用して、決定されることができる。別の態様において、無指向性プロトコルは、プローブメッセージおよび肯定応答（ＡＣＫ）メッセージの使用を含むことができる。そのような態様において、ラウンドトリップ遅延値は、プローブメッセージの発信時間およびＡＣＫメッセージの到着時間を使用して決定されることができる。
【００２１】
無線通信システム１００は、ＭＩＭＯ技術をサポートすることができる。ＭＩＭＯ技術を使用し、複数のアクセス端末１２０は、空間分割多元接続（ＳＤＭＡ）を使用して同時に通信することができる。ＳＤＭＡは、異なる受信機へと同時に送信された複数のストリームに、同一の周波数チャネルを共有すること、または、異なる周波数を使用して通信することを可能にさせ、結果として、より高いユーザーキャパシティを提供する多元接続方式である。これは、データストリームの各々を空間的にプリコーディングし、ついで、空間的にプリコーディングされたストリームの各々を、下りリンクで異なる送信アンテナを介して送信することにより実現される。空間的にプリコーディングされたデータストリームは、異なる空間シグネチャとともにアクセス端末に到着し、それは、アクセス端末１１０、１３０の各々に、そのアクセス端末１１０、１３０に宛てられたデータストリームをリカバーすることを可能にさせる。上りリンクで、アクセス端末１１０、１３０の各々は、空間的にプリコーディングされたデータストリームを送信し、それは、空間的にプリコーディングされたデータストリームの各々のソースの識別が知られるようにすることができる。
【００２２】
１つ以上のアクセス端末１１０は、ある特定の機能を可能にするために、複数のアンテナを備え得る。この構成によると、アクセス端末１１０における複数のアンテナは、さらなる帯域幅または送信電力なしにデータスループットを向上させて通信するために使用されることができる。これは、送信機において、高データレート信号を、異なる空間シグネチャを有する複数のより低いレートのデータストリームへと分割することによって実現されることができ、それゆえ、受信機は、これらのストリームを複数のチャネルへと分け、これらのストリームを適切に合成し、高いレートのデータ信号をリカバーすることが可能になる。
【００２３】
以下の開示の一部は、ＭＩＭＯ技術をもサポートするアクセス端末を説明するが、アクセス端末１１０は、ＭＩＭＯ技術をサポートしないアクセス端末をサポートするように構成されることもできる。このアプローチは、より新しいＭＩＭＯアクセス端末が、必要に応じて導入されることを可能にすると同時に、より古いバージョンのアクセス端末（すなわち、「レガシー」端末）に、それらの有用な期間を延長して無線ネットワークで展開され続けることを可能にさせることができる。
【００２４】
下記の詳細な説明において、本開示のさまざまな態様は、直交周波数分割多重（ＯＦＤＭ）のような任意の適切な無線技術をサポートするＭＩＭＯシステムを参照して説明される。ＯＦＤＭは、正確に周波数間隔が空けられた多数のサブキャリアにわたりデータを分散させる、拡散スペクトル技術である。間隔を空けることは、受信機にサブキャリアからデータをリカバーすることを可能にさせる、「直交性」を提供する。ＯＦＤＭシステムは、ＩＥＥＥ８０２．１１、または、ある他のエアインターフェース規格を実現することができる。他の適切な無線技術には、例として、符号分割多元接続（ＣＤＭＡ）、時分割多元接続（ＴＤＭＡ）、または任意の他の適切な無線技術、または、適切な無線技術の任意の組み合わせが含まれる。ＣＤＭＡシステムは、ＩＳ−２０００、ＩＳ−９５、ＩＳ−８５６、ワイドバンド−ＣＤＭＡ（ＷＣＤＭＡ）、または何らかの他の適切なエアインターフェース規格を実現することができる。ＴＤＭＡシステムは、移動体通信のための全世界システム（ＧＳＭ（登録商標））、または、何らかの他の適切なエアインターフェース規格を実現することができる。当業者が容易に理解するように、本発明のさまざまな態様は、任意の特定の無線技術および／またはエアインターフェース規格に限定されない。
【００２５】
無線ノード（たとえば、１１０、１３０）は、アクセスポイントであろうとアクセス端末であろうと、共用無線チャネルに無線ノードをインターフェース接続するためのすべての物理的および電気的仕様を実現する物理（ＰＨＹ）層、共用無線チャネルへのアクセスを調整する媒体アクセス制御（ＭＡＣ）層、例として音声およびマルチメディアコーデックおよびグラフィック処理を含むさまざまなデータ処理機能を実行するアプリケーション層、を含む階層化された構造を利用したプロトコルを用いて実現されることができる。さらなるプロトコル層（たとえば、ネットワーク層、トランスポート層）が、任意の特定の用途のために必要とされ得る。いくつかの構成では、無線ノードは、アクセスポイントとアクセス端末との間の中継（relay）ポイントとして、または、２つのアクセス端末間の中継ポイントとして、動作し得るので、アプリケーション層を必要としない場合がある。当業者は、システム全体に課された特定の用途および全体的な設計の制約に依存して、任意の無線ノードのための適切なプロトコルを容易に実現することができるだろう。
【００２６】
図２は、特許請求の主題に係るさまざまな方法を示す。説明を簡潔にする目的で、方法は、一連の動作として示され説明されるが、いくつかの動作は、ここに示され説明されるものとは異なる順序で、および／または、他の動作と同時に起こり得るので、特許請求の主題は、動作の順序によって限定されないことが理解されるべきである。たとえば、当業者は、方法が、その代わりに、状態図におけるもののような相互に関連する一連の状態またはイベントとして表されうることを理解するだろう。また、示されたすべての動作が特許請求の主題に係る方法を実現するために必要とされるわけではない。さらに、以下および本明細書全体に開示される方法は、そのような方法をコンピュータに搬送および転送することを容易にするための製造物に記憶されることができるということがさらに理解されるべきである。製造物という用語は、ここで使用される場合、任意のコンピュータ可読デバイス、キャリア、または媒体からアクセス可能なコンピュータプログラムを含むことを意図する。
【００２７】
図２を参照すると、無線ノードは、無指向性通信ネットワークを使用して指向性通信ネットワークを発見する処理を支援され得る。参照番号２０２において、無線ノードは、１つ以上の利用可能なノードに関連づけられたビーコン信号をスキャンすることができる。さらに、またはその代わりに、参照番号２０４において、無線ノードは、１つ以上の利用可能なノードを特定するために、プローブ要求を送信することができる。示された処理において、スキャンすること、および送信することは、いずれも、第１のプロトコルを使用して実行されることができ、ここで、第１のプロトコルは、無指向性の周波数を使用することができる。参照番号２０６において、無線ノードは、１つ以上の利用可能なノードのうちの少なくとも１つに関する接続性情報を得る。１つの態様において、接続性情報は、利用可能なノードによって提供され、別の態様では、接続性支援システムが、ノードの利用可能性をアグリゲート（aggregate）し、要求している無線ノードにそのような情報を提供することができる。さらに、接続性情報を得ることは、第１のプロトコルを使用して実行されることができ、ここで、第１のプロトコルは、無指向性の周波数を使用することができる。さらに、そのような接続性情報は、チャネル選択メッセージにおいて提供されることができ、それは、より高い周波数の、指向性に基づく、利用可能なチャネルのリストを含む。参照番号２０８において、１つ以上の利用可能なノードのうちの１つが選択されることができる。１つの態様において、選択は、最も高い第１（たとえば、無指向性）のプロトコルリンク品質、定められた機能、定められたデバイス識別子、等といった複数のファクターに基づくことができるが、それらに限定されない。複数の利用可能なノードが検出される１つの態様では、利用可能なノードのいずれかとの接続を試みる前に、フィルタリング処理が使用されることができる。そのような態様において、利用可能なノードを発見するためのフィルタリング処理は、使用される伝送強度を変えること、より高い伝送レートを使用すること、パスロスフィルタを使用して定められたしきい値を超える強度を有する信号のみを受信すること、第２のより高い周波数のプロトコルを使用して通信することができないデバイスからの信号を受け入れないこと、のうちの少なくとも１つを含むことができる。参照番号２１０において、セッション開始メッセージが、選択された利用可能なノードに送信されることができる。１つの態様において、そのような送信は、第１のプロトコルを使用して実行されることができ、ここで、第１のプロトコルは、無指向性の周波数を使用することができ、利用可能なデバイスに、第２のより高い周波数のプロトコルを使用する通信を可能にするよう促し得る。そのような態様において、第２のプロトコルは、第１のプロトコルよりも高いレートでデータを伝送することができる。
【００２８】
参照番号２１２において、選択された利用可能な無線ノードからビーコン情報が受信され、参照番号２１４において、ビームトレーニングが実行されることができ、参照番号２１６において、選択された利用可能なノードとの通信セッションが確立される。１つの態様において、ビーコン情報を受信すること、ビームトレーニングを行うこと、および通信セッションを確立することは、第２の、より高い周波数の、指向性に基づくプロトコルを使用して実行されることができる。別の態様において、通信セッションの確立が失敗したと仮定すると、通信セッションの確立が再び試みられることができ、および／または、第１のプロトコルを使用して通信セッションが確立され得る。通信セッションが確立されると、要求ノードと選択された利用可能なノードは、より低い周波数の第１のプロトコルよりも高いレートでのデータ通信を可能にする、より高い周波数の第２のプロトコルを使用して通信することができる。
【００２９】
ここでは、図１をさらに参照しつつ、併せて図３を参照すると、無線通信デバイス１１０の例示的なアーキテクチャが示されている。図３に示すように、無線通信デバイス３００は、たとえば、受信アンテナ（図示せず）から信号を受信し、受信された信号に対する典型的な処理（たとえば、フィルタリング、増幅、ダウンコンバート、等）を実行し、調整された信号をデジタル化してサンプルを得る、受信機３０２を含む。受信機３０２は、受信されたシンボルを復調し、チャネル推定のためにプロセッサ３０６にそれらを供給することができる復調器３０４を含むことができる。さらに、受信機３０２は、複数の通信プロトコルを使用して複数のネットワークから信号を受信することができる。１つの態様において、受信機３０２は、ＣＤＭＡ、ＷＣＤＭＡ，ＴＤＭＡ、ＴＳ−ＳＣＤＭＡ、ＵＭＴＳ、ＩＰ、ＧＳＭ、ＬＴＥ、ＷｉＭａｘ、ＵＭＢ、ＥＶ−ＤＯ、８０２．１１、ＢＬＵＥＴＯＯＴＨ（登録商標）、等のうちの少なくとも１つを使用してネットワークから信号を受信することができる。
【００３０】
プロセッサ３０６は、受信機３０２によって受信された情報の分析および／または送信機３２０によって送信される情報の生成専用のプロセッサ、無線通信デバイス３００の１つ以上のコンポーネントを制御するプロセッサ、および／または、受信機３０２によって受信された情報の分析と送信機３２０によって送信される情報の生成との両方を行い、無線通信デバイス３００の１つ以上のコンポーネントを制御するプロセッサであることができる。
【００３１】
無線通信デバイス３００は、プロセッサ３０６に動作可能に結合され、および／または、プロセッサ３０６の中に位置する、メモリ３０８であって、送信されるデータ、受信されたデータ、利用可能なチャネルに関連する情報、分析された信号および／または干渉強度に関連づけられたデータ、割り当てられたチャネル、電力、レート、等に関連する情報、および、チャネルを推定し、そのチャネルを介して通信するための任意の他の適切な情報を記憶することができる、メモリ３０８をさらに含むことができる。メモリ３０８は、さらに、チャネルの推定および／または利用に関連づけられた（たとえば、性能や能力に基づく）プロトコルおよび／またはアルゴリズムを記憶することができる。
【００３２】
ここで説明されるデータ記憶装置（たとえば、メモリ３０８）は、揮発性メモリまたは不揮発性メモリのいずれかであることができ、または、揮発性メモリおよび不揮発性メモリの両方を含むことができる、ということが理解されるだろう。限定ではなく例として、不揮発性メモリは、読み取り専用メモリ（ＲＯＭ）、プログラム可能なＲＯＭ（ＰＲＯＭ）、電気的にプログラム可能なＲＯＭ（ＥＰＲＯＭ）、電気的に消去可能なＰＲＯＭ（ＥＥＰＲＯＭ）、またはフラッシュメモリを含むことができる。揮発性メモリは、ランダムアクセスメモリ（ＲＡＭ）を含むことができ、それは、外部キャッシュメモリとして動作する。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ ＳＤＲＡＭ）、エンハンスドＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ（登録商標））のような多くの形態で、入手可能である。主題のシステムおよび方法のメモリ３０８は、これらの、および任意の他の適切なタイプのメモリを含むことができるが、これらに限定されない。
【００３３】
無線通信デバイス３００は、無指向性通信ネットワークを使用して指向性通信ネットワークの発見を支援するための通信モジュール３３０をさらに含むことができる。通信モジュール３３０は、接続性情報３３２を含むことができる。１つの態様において、接続性情報３３２は、１つ以上のアクセス端末に関するデバイス識別子、１つ以上のアクセス端末に関する媒体アクセス制御層アドレス、１つ以上のアクセス端末に関する位置情報、１つ以上のアクセス端末に関するタイミング情報、１つ以上のアクセス端末のために利用可能なアンテナの数、１つ以上のアクセス端末のための通信に利用可能な方向（directions）、１つ以上のアクセス端末に関する指向性に基づくプロトコルの互換性情報、１つ以上のアクセス端末のための通信に利用可能な指向性に基づくプロトコルのチャネルのリスト、等を含むことができる。１つの態様において、１つ以上のアクセス端末に関する位置情報は、無指向性プロトコルからのＲＳＳＩ測定値を使用して、決定されることができる。別の態様において、１つ以上のアクセス端末に関する位置情報は、無指向性プロトコルに関連づけられたラウンドトリップ遅延時間測定値を使用して、決定されることができる。１つの態様において、無指向性プロトコルは、ＲＴＳおよびＣＴＳメッセージの使用を含むことができる。そのような態様において、ラウンドトリップ遅延値は、ＲＴＳメッセージの発信時間およびＣＴＳメッセージの到着時間を使用して、決定されることができる。別の態様において、無指向性プロトコルは、プローブメッセージおよび肯定応答（ＡＣＫ）メッセージの使用を含むことができる。そのような態様において、ラウンドトリップ遅延値は、プローブメッセージの発信時間およびＡＣＫメッセージの到着時間を使用して決定されることができる。
【００３４】
さらに、無線通信デバイス３００は、ユーザーインターフェース３４０を含むことができる。ユーザーインターフェース３４０は、通信デバイス３００への入力を生成する入力メカニズム３４２と、通信デバイス３００のユーザーによって消費される情報を生成する出力メカニズム３４２と、を含むことができる。たとえば、入力メカニズム３４２は、キーまたはキーボード、マウス、タッチスクリーンディスプレイ、マイクロフォン、等といったメカニズムを含むことができる。さらに、出力メカニズム３４４は、たとえば、ディスプレイ、オーディオスピーカー、触覚（haptic）フィードバックメカニズム、パーソナルエリアネットワーク（ＰＡＮ）トランシーバ、等を含むことができる。例示的な態様において、出力メカニズム３４４は、画像または映像フォーマットの媒体コンテンツを提示するように動作可能なディスプレイ、またはオーディオフォーマットの媒体コンテンツを提示するためのオーディオスピーカーを含むことができる。
【００３５】
図４を参照すると、図１に示した接続性支援システム１２０のような接続性支援システム４００の詳細なブロック図が示されている。接続性支援システム４００は、任意のタイプのハードウェア、サーバー、パーソナルコンピュータ、ミニコンピュータ、メインフレームコンピュータ、または、専用または汎用コンピューティングデバイスのいずれかである任意のコンピューティングデバイス、のうちの少なくとも１つを含み得る。さらに、接続性支援システム４００で動作または実行されるものとして本明細書において説明されるモジュールおよびアプリケーションは、図４に示すように１つのネットワークデバイスのみで実行されることができ、またはその代わりに、他の態様では、別個のサーバー、データベース、またはコンピュータデバイスが協働して、使用可能なフォーマットのデータをパーティーに供給し、および／または、通信デバイス１１０、１３０と、接続性支援システム４００によって実行されるモジュールおよびアプリケーションとの間のデータフローにおける別個の制御層を提供することもできる。
【００３６】
接続性支援システム４００は、有線および無線ネットワークにわたってデータを送受信し、ルーチンおよびアプリケーションを実行することができる、コンピュータプラットフォーム４０２を含む。コンピュータプラットフォーム４０２は、メモリ４０４を含み、メモリ４０４は、読み取り専用メモリおよび／またはランダムアクセスメモリ（ＲＯＭおよびＲＡＭ）、ＥＰＲＯＭ、ＥＥＰＲＯＭ、フラッシュカード、またはコンピュータプラットフォームに共通の任意のメモリといった、揮発性および不揮発性メモリを含むことができる。さらに、メモリ４０４は、１つ以上のフラッシュメモリセルを含むことができ、または、磁気媒体、光学媒体、テープ、または、ソフトまたはハードディスクのような、任意の二次記憶装置または三次記憶装置であることができる。さらに、コンピュータプラットフォーム４０２は、また、プロセッサ４３０を含み、それは、特定用途向け集積回路（「ＡＳＩＣ」）、または他のチップセット、論理回路、または他のデータ処理デバイスであることができる。プロセッサ４３０は、有線または無線ネットワークでのネットワークデバイスの動作、および接続性支援システム４００の機能を可能にする、ハードウェア、ファームウェア、ソフトウェア、およびそれらの組み合わせにおいて具現化される、さまざまな処理サブシステム４３２を含むことができる。
【００３７】
コンピュータプラットフォーム４０２は、接続性支援システム４００とデバイス１１０、１３０との間だけでなく、接続性支援システム４００のさまざまなコンポーネント間の通信を可能にする、ハードウェア、ファームウェア、ソフトウェア、およびそれらの組み合わせで具現化された通信モジュール４５０をさらに含む。通信モジュール４５０は、無線通信接続を確立するために必要なハードウェア、ファームウェア、ソフトウェア、および／またはそれらの組み合わせを含むことができる。
【００３８】
コンピュータプラットフォーム４０２は、特にデバイス１１０と１３０との間で通信されるデータに対応する、デバイス１１０、１３０から受信されたメトリックを有効にする、ハードウェア、ファームウェア、ソフトウェア、およびそれらの組み合わせにおいて具現化されるメトリックモジュール４４０をさらに含む。１つの態様において、接続性支援システム４００は、メトリックモジュール４４０によって受信されたデータを分析し、デバイス１１０および／またはデバイス１３０への今後の分配のために用意されたデータを修正することができる。たとえば、メトリックモジュール４４０が、デバイス１３０が第２のより高い周波数のプロトコルを使用して動作可能でないことを示すデータを返した場合、それに応じて、接続性支援システム４００は、接続性情報４１２を更新することができる。
【００３９】
接続性支援システム４００のメモリ４０４は、デバイス１１０が、指向性通信ネットワークを発見して別のデバイス１３０との通信セッションを確立するために、無指向性通信ネットワークを使用して、その接続をセットアップすることを支援するように動作可能な通信モジュール４１０を含む。１つの態様において、通信モジュール４１０は、接続性情報４１２および１つ以上の利用可能なデバイス（たとえば、デバイス１３０）を含むことができる。１つの態様において、接続性情報４１２は、１つ以上のアクセス端末に関するデバイス識別子、１つ以上のアクセス端末に関する媒体アクセス制御層アドレス、１つ以上のアクセス端末に関する位置情報、１つ以上のアクセス端末に関するタイミング情報、１つ以上のアクセス端末のために利用可能なアンテナの数、１つ以上のアクセス端末のための通信に利用可能な方向（directions）、１つ以上のアクセス端末に関する指向性に基づくプロトコルの互換性情報、１つ以上のアクセス端末のための通信に利用可能な指向性に基づくプロトコルのチャネルのリスト、等を含むことができる。１つの態様において、１つ以上のアクセス端末に関する位置情報は、無指向性プロトコルからのＲＳＳＩ測定値を使用して、決定されることができる。別の態様において、１つ以上のアクセス端末１３０に関する位置情報は、無指向性プロトコルに関連づけられたラウンドトリップ遅延時間測定値を使用して、決定されることができる。１つの態様において、無指向性プロトコルは、ＲＴＳおよびＣＴＳメッセージの使用を含むことができる。そのような態様において、ラウンドトリップ遅延値は、ＲＴＳメッセージの発信時間およびＣＴＳメッセージの到着時間を使用して、決定されることができる。別の態様において、無指向性プロトコルは、プローブメッセージおよびＡＣＫメッセージの使用を含むことができる。そのような態様において、ラウンドトリップ遅延値は、プローブメッセージの発信時間およびＡＣＫメッセージの到着時間を使用して決定されることができる。
【００４０】
図５は、ＰＨＹ層の信号処理機能の例を示す概念的なブロック図である。送信モードでは、ＴＸデータプロセッサ５０２が、ＭＡＣ層からデータを受信し、そのデータを符号化（たとえば、ターボ符号化）して、受信ノードにおける前方誤り訂正（ＦＥＣ：forward error correction）を容易にするために使用されることができる。符号化処理は、変調シンボルのシーケンスを生成するために、ＴＸデータプロセッサ５０２により、まとめてブロック化され、信号コンスタレーションにマッピングされることができる、符号シンボルのシーケンスという結果をもたらす。
【００４１】
ＯＦＤＭを実現する無線ノードでは、ＴＸデータプロセッサ５０２からの変調シンボルは、ＯＦＤＭ変調器５０４に供給され得る。ＯＦＤＭ変調器は、変調シンボルをパラレルなストリームに分割する。そして、各ストリームは、時間領域ＯＦＤＭストリームを生成するために、ＯＦＤＭサブキャリアにマッピングされ、次いで、逆高速フーリエ変換（ＩＦＦＴ）を使用して、まとめて合成されることができる。
【００４２】
ＴＸ空間プロセッサ５０６は、ＯＦＤＭストリームに対する空間処理を実行する。これは、各ＯＦＤＭを空間的にプリコーディングし、次いで、空間的にプリコーディングされたストリームの各々を、トランシーバ５０６を介して異なるアンテナ５０８に供給することによって実現され得る。各送信機５０６は、無線チャネルでの送信のために、プリコーディングされたストリームの各々によってＲＦキャリアを変調する。
【００４３】
受信モードでは、各トランシーバ５０６が、その各々のアンテナ５０８によって信号を受信する。各トランシーバ５０６は、ＲＦキャリアへと変調された情報をリカバーし、その情報をＲＸ空間プロセッサ５１０に提供するために使用されることができる。
【００４４】
ＲＸ空間プロセッサ５１０は、無線ノード５００に宛てられた任意の空間ストリームをリカバーするために、その情報に対する空間処理を実行する。空間処理は、チャネル相関マトリクスインバージョン（ＣＣＭＩ：Channel Correlation Matrix Inversion）、最小平均二乗誤差（ＭＭＳＥ：Minimum Mean Square Error）、ソフト干渉除去（ＳＩＣ：Soft Interference Cancellation）、または何らかの他の適切な技術に基づいて実行されることができる。複数の空間ストリームが無線ノード５００に宛てられている場合、それらは、ＲＸ空間プロセッサ５１０によって合成されることができる。
【００４５】
ＯＦＤＭを実現する無線ノードでは、ＲＸ空間プロセッサ５１０からのストリーム（または合成されたストリーム）は、ＯＦＤＭ復調器５１２に供給される。ＯＦＤＭ復調器５１２は、ストリーム（または合成されたストリーム）を、高速フーリエ変換（ＦＦＴ）を使用して時間領域から周波数領域へと変換する。周波数領域の信号は、ＯＦＤＭ信号の各サブキャリアのための別個のストリームを含む。ＯＦＤＭ復調器５１２は、各サブキャリアで搬送されたデータ（たとえば、変調シンボル）をリカバーし、そのデータを変調シンボルのストリームに多重化する。
【００４６】
ＲＸデータプロセッサ５１４は、変調シンボルを変換し、信号コンスタレーションにおける正しいポイントに戻すために使用されることができる。変調シンボルは、無線チャネルにおける雑音および他の妨害により、元の信号コンスタレーションにおけるポイントの正確な位置に対応していない場合がある。ＲＸデータプロセッサ５１４は、信号コンスタレーションにおいて、受信されたポイントと適正なシンボルの位置との間の最小距離を探すことによって、どの変調シンボルが最も送信されたものらしいかを検出する。これらの軟判定は、たとえば、ターボ符号化の場合、所与の変調シンボルに関連づけられた符号シンボルの対数尤度比（ＬＬＲ）を計算するために使用されることができる。そして、ＲＸデータプロセッサ５１４は、ＭＡＣ層にデータを供給する前に、もともと送信されたデータを復号するため、符号シンボルのシーケンスのＬＬＲを使用する。
【００４７】
図６は、無線ノードにおける処理システムのためのハードウェア構成の例を示す概念図である。この例において、処理システム６００は、バス６０２により概して表されているバスアーキテクチャを用いて実現されることができる。バス６０２は、処理システム６００の特定の用途および全体的な設計の制約に依存して、任意の数の相互接続バスおよびブリッジを含むことができる。バスは、プロセッサ６０４、コンピュータ可読媒体６０６、およびバスインターフェース６０８を含むさまざまな回路をまとめて連結する。バスインターフェース６０８は、とりわけ、バス６０２を介して処理システム６００に、ネットワークアダプタ６１０を接続するために使用されることができる。ネットワークインタフェース６１０は、ＰＨＹ層の信号処理機能を実現するために使用されることができる。アクセス端末１１０（図１を参照）の場合、ユーザーインターフェース６１２（たとえば、キーパッド、ディスプレイ、マウス、ジョイスティック、等）も、また、バスインターフェース６０８を介してバスに接続されることができる。バス６０２は、タイミングソース、周辺機器、電圧調整器、電力管理回路、等といったさまざまな他の回路を連結することもできるが、これらは、当該技術分野で周知であるため、これ以上は説明しない。
【００４８】
プロセッサ６０４は、バスの管理、および、コンピュータ可読媒体６０８に記憶されたソフトウェアの実行を含む一般的な処理を行う役割を担う。プロセッサ６０８は、１つ以上の汎用および／または専用プロセッサによって実現されることができる。例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート制御された論理、離散ハードウェア回路、および、この開示を通して説明されたさまざまな機能を実行するように構成された他の適切なハードウェアを含む。
【００４９】
処理システムにおける１つ以上のプロセッサは、ソフトウェアを実行することができる。ソフトウェアは、ソフトウェア、ファームウェア、ミドルウェア、マイクロコード、ハードウェア記述言語と称されようと、またはそうでないものと称されようと、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、手順、機能、等を意味するものと広く解釈されるべきである。
【００５０】
ソフトウェアは、コンピュータ可読媒体上に存在することができる。コンピュータ可読媒体は、例として、磁気記憶デバイス（たとえば、ハードディスク、フロッピー（登録商標）ディスク、磁気ストリップ）、光学ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読み取り専用メモリ（ＲＯＭ）、プログラム可能なＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブルディスク、搬送波、伝送回線、または、ソフトウェアを記憶または伝送するための任意の他の適切な媒体を含むことができる。コンピュータ可読媒体は、処理システムの内部、処理システムの外部に存在することができ、または、処理システムを含む複数のエンティティにわたって分散されることができる。コンピュータ可読媒体は、コンピュータプログラム製品において具現化されることができる。例として、コンピュータプログラム製品は、パッケージング材料におけるコンピュータ可読媒体を含むことができる。
【００５１】
図６に示したハードウェアの実現において、コンピュータ可読媒体６０６は、プロセッサ６０４とは別個の処理システム６００の一部として示されている。しかしながら、当業者に容易に理解されるように、コンピュータ可読媒体６０６またはその任意の一部は、処理システム６００の外部にあることもできる。例として、コンピュータ可読媒体６０６は、伝送回線、データによって変調された搬送波、および／または、無線ノードとは別個のコンピュータ製品を含むことができ、それらのすべては、バスインターフェース６０８を介してプロセッサ６０４によりアクセスされることができる。あるいは、または、さらに、コンピュータ可読媒体６０４またはその任意の一部は、プロセッサ６０４に組み込まれることができ、たとえば、そのケースは、キャッシュおよび／または汎用レジスタファイルを伴うことができる。
【００５２】
処理システム、または処理システムの任意の一部は、ここに説明された機能を実行するための手段を提供することができる。例として、コードを実行する処理システムは、第１のプロトコルを使用して１つ以上の装置に関する接続性情報を得るための手段と、第２のプロトコルを使用して指向性通信のために上記１つ以上の装置のうちの１つとセッションを確立するための手段とを提供することができ、ここで、第１のプロトコルは、第２のプロトコルとは異なる。あるいは、コンピュータ可読媒体におけるコードは、ここに説明された機能を実行するための手段を提供することができる。
【００５３】
図７は、例示的な装置６００の機能を説明する概念的なブロック図７００である。装置６００は、第１のプロトコルを使用して１つ以上の装置に関する接続性情報を得るモジュール７０２と、第２のプロトコルを使用して指向性通信のために上記１つ以上の装置のうちの１つとセッションを確立するモジュール９０４とを含み、ここで、第１のプロトコルは、第２のプロトコルとは異なる。
【００５４】
図１および図６を参照すると、１つの構成において、無線通信のための装置６００は、第１のプロトコルを使用して１つ以上の装置に関する接続性情報を得るための手段と、第２のプロトコルを使用して指向性通信のために上記１つ以上の装置のうちの１つとセッションを確立するための手段とを含み、ここで、第１のプロトコルは、第２のプロトコルとは異なる。別の構成において、無線通信のための装置６００は、初期接続性情報を送信するための手段と、送信された初期接続性情報に応答して接続性情報を受信するための手段とを含む。別の構成において、無線通信のための装置６００は、第１のプロトコルを使用して、複数のチャネルにわたり、１つ以上の装置のうちの少なくとも１つに関連づけられたビーコン信号をスキャンするための手段を含む。別の構成において、無線通信のための装置６００は、プローブ要求を送信するための手段と、上記１つ以上の装置から少なくとも１つのプローブ応答を受信するための手段とを含む。別の構成において、無線通信のための装置６００は、第１のプロトコルを使用し、ＲＳＳＩ測定値を使用して位置情報を決定するための手段を含む。別の構成において、無線通信のための装置６００は、第１のプロトコルを使用して得られたラウンドトリップ遅延時間測定値を使用して位置情報を決定するための手段を含む。別の構成において、無線通信のための装置６００は、リクエスト・ツー・センド・メッセージの発信時間と、クリア・ツー・センド・メッセージの到着時間とを使用して、ラウンドトリップ遅延時間測定値を得るための手段を含む。別の構成において、無線通信のための装置６００は、プローブメッセージの発信および肯定応答メッセージの到着時間を使用してラウンドトリップ遅延時間測定値を得るための手段を含む。別の構成において、無線通信のための装置６００は、上記１つ以上の装置のうちの１つを選択するための手段と、第２のプロトコルに関連づけられたトランシーバをアクティベートするよう選択されたノードを促すために第１のプロトコルを使用してセッション開始メッセージを送信するための手段と、上記１つ以上の装置のうちの選択された１つからビーコン情報を受信するための手段と、上記１つ以上の装置のうちの選択された１つとのビームトレーニングを実行するための手段とを含む。上記手段は、上記手段によって列記された機能を実行するように構成された処理システム６００である。前述したように、処理システム６００は、ＴＸプロセッサ５０２、ＲＸプロセッサ５１４、および、プロセッサ５０５および５１０を含む。そのようなものとして、１つの構成において、上記手段は、ＴＸプロセッサ５０２、ＲＸプロセッサ５１４、および、上記手段によって列記された機能を実行するように構成されたプロセッサ５０５および５１０であることができる。
【００５５】
当業者は、システム全体に課された特定の用途および全体的な設計の制約に依存して、この開示を通して提示された、説明された機能を実現することが、いかに最良かを認識するだろう。
【００５６】
ソフトウェアモジュールの文脈で説明されたステップの任意の特定の順序または階層は、無線ノードの例を提供するために提示されていることが理解される。設計の優先性に基づいて、ステップの特定の順序または階層は、本発明の範囲内にありながら、並べ替えられ得ることが理解される。
【００５７】
先の説明は、任意の当業者が本開示の全範囲を十分理解可能なように提供されている。ここに開示されたさまざまな構成に対する変更は、当業者に容易に理解されるだろう。したがって、本願請求項は、本明細書に説明された開示のさまざまな態様に限定されることを意図せず、本願請求項の記載と一致する全範囲が付与されるべきであり、単数形の要素への言及は、具体的にそのように指定されていない限り、「１つ、および１つのみ」を意味するのではなく、「１つ以上」を意味するものとする。具体的にそうでないとの指定がない限り、「いくつかの」という用語は、１つ以上のことを言う。要素の組み合わせのうちの少なくとも１つ（たとえば、「Ａ、Ｂ、またはＣのうちの少なくとも１つ」）を記載した請求項は、記載された要素（たとえば、Ａ、またはＢ、またはＣ、またはそれらの任意の組み合わせ）のうちの１つ以上のことを言う。当業者にとって周知の、または後に周知となる、この開示を通して説明されたさまざまな態様の要素との、すべての構造的および機能的同等物は、引用によりここに明確に組み込まれ、本願請求項に含まれるものとする。さらに、ここに開示されたものはいずれも、そのような開示が本願請求項に明示的に記載されているかどうかに関わらず、一般社会に供されたものとは意図されない。本願請求項の要素はいずれも、その要素が明確に「〜のための手段」という句を使用して記載されていない限り、または、方法の請求項の場合には「〜ためのステップ」という句を使用して記載されていない限り、３５Ｕ．Ｓ．Ｃ．§１１２、第６パラグラフの規定の下に解釈されるべきでない。
【００５８】
１つ以上の例示的な態様において、説明された機能は、ハードウェア、ソフトウェア、ファームウェア、またはそれらの任意の組み合わせで実現され得る。ソフトウェアで実現される場合、機能は、コンピュータ可読媒体により、１つ以上の命令またはコードとして、記憶または伝送され得る。コンピュータ可読媒体は、コンピュータ記憶媒体と、ある場所から別の場所へのコンピュータプログラムの転送を容易にする任意の媒体を含む通信媒体と、の両方を含む。記憶媒体は、コンピュータによってアクセスされ得る任意の入手可能な媒体であることができる。限定ではなく例として、そのようなコンピュータ可読媒体は、ＲＡＭ、ＲＯＭ、ＥＥＰＲＯＭ、ＣＤ−ＲＯＭ、または他の光学ディスク記憶装置、磁気ディスク記憶装置または他の磁気記憶装置、または、所望のプログラムコードを命令またはデータ構造の形態で搬送または記憶するために使用されることができ、コンピュータによってアクセスされることができる、任意の他の媒体を含むことができる。さらに、いかなる接続も、コンピュータ可読媒体と適切に称される。たとえば、ソフトウェアが、同軸ケーブル、光ファイバーケーブル、ツイストペア、デジタル加入者線（ＤＳＬ）、または、赤外線、無線、マイクロ波といった無線技術を使用して、ウェブサイト、サーバー、または他の遠隔ソースから伝送される場合、同軸ケーブル、光ファイバーケーブル、ツイストペア、ＤＳＬ、または、赤外線、無線、マイクロ波といった無線技術が、媒体の定義に含まれる。本明細書で使用されるディスク（diskおよびdisc）は、コンパクトディスク（ＣＤ）（disc）、レーザーディスク（登録商標）（disc）、光ディスク（disc）、デジタル多用途ディスク（ＤＶＤ）（disc）、フロッピー(登録商標）ディスク(disk）、およびブルーレイ（登録商標）ディスク（disc）を含み、ディスク（disc）は、レーザーを用いてデータを光学的に再生するが、ディスク（disk）は、通常、データを磁気的に再生する。上記の組み合わせもまた、コンピュータ可読媒体の範囲内に含まれるべきである。
【図１】
2013511914.tif 000003
【図２】
2013511914.tif 000004
【図３】
2013511914.tif 000005
【図４】
2013511914.tif 000006
【図５】
2013511914.tif 000007
【図６】
2013511914.tif 000008
【図７】
2013511914.tif 000009
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
第１の装置において、第１のプロトコルを使用して、接続性支援システムから、１つ以上の第２の装置に関する接続性情報を得ることと、
指向性に基づく第２のプロトコルを使用してダイレクトな指向性通信のために前記接続性情報に基づいて選択された前記１つ以上の第２の装置のうちの１つとセッションを確立することと
を含み、前記第１のプロトコルは、前記第２のプロトコルとは異なる、無線通信方法。
【請求項２】
前記接続性情報は、初期接続性情報を送信することと、前記送信された初期接続性情報に応答して前記接続性情報を受信することとによって得られる、請求項１に記載の方法。
【請求項３】
前記接続性情報は、前記第１のプロトコルを使用して、複数のチャネルにわたり、前記１つ以上の第２の装置のうちの少なくとも１つに関連づけられたビーコン信号をスキャンすることによって得られる、請求項１に記載の方法。
【請求項４】
前記接続性情報は、前記第１のプロトコルを使用して、プローブ要求を送信することと、前記１つ以上の第２の装置から少なくとも１つのプローブ応答を受信することとによって得られる、請求項１に記載の方法。
【請求項５】
前記接続性情報は、前記１つ以上の第２の装置に関するデバイス識別子を含む、請求項１に記載の方法。
【請求項６】
前記接続性情報は、前記１つ以上の第２の装置に関する媒体アクセス制御層アドレスを含む、請求項１に記載の方法。
【請求項７】
前記接続性情報は、前記１つ以上の第２の装置に関する位置情報を含む、請求項１に記載の方法。
【請求項８】
前記位置情報は、前記第１のプロトコルを使用し、受信信号強度インジケータ（ＲＳＳＩ）測定値を使用して決定される、請求項７に記載の方法。
【請求項９】
前記位置情報は、前記第１のプロトコルを使用して得られたラウンドトリップ遅延時間測定値を使用して決定される、請求項７に記載の方法。
【請求項１０】
前記ラウンドトリップ遅延時間測定値は、リクエスト・ツー・センド・メッセージの発信時間と、クリア・ツー・センド・メッセージの到着時間とを使用して得られる、請求項９に記載の方法。
【請求項１１】
前記ラウンドトリップ遅延時間測定値は、プローブメッセージの発信および肯定応答メッセージの到着時間を使用して得られる、請求項９に記載の方法。
【請求項１２】
前記接続性情報は、
前記１つ以上の第２の装置に関するタイミング情報と、
前記１つ以上の第２の装置のために利用可能なアンテナの数と、
前記１つ以上の第２の装置のための通信に利用可能な方向と、
前記１つ以上の第２の装置に関する第２のプロトコルの互換性情報と、
前記１つ以上の第２の装置のために利用可能な第２のプロトコルのチャネルのリストと、または、
前記１つ以上の第２の装置に関する認証情報と
のうちの少なくとも１つを含む、請求項１に記載の方法。
【請求項１３】
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、請求項１に記載の方法。
【請求項１４】
前記セッションの確立は、
前記１つ以上の第２の装置のうちの１つを選択することと、
前記第２のプロトコルに関連づけられたトランシーバをアクティベートするよう前記選択されたノードを促すために、前記第１のプロトコルを使用して、セッション開始メッセージを送信することと、
前記１つ以上の第２の装置のうちの前記選択された１つからビーコン情報を受信することと、
前記１つ以上の第２の装置のうちの前記選択された１つとのビームトレーニングを実行することと
を含む、請求項１に記載の方法。
【請求項１５】
前記１つ以上の第２の装置のうちの１つは、
最も高い第１のプロトコルリンク品質と、
定められた機能と、または、
定められたデバイス識別子と
のうちの少なくとも１つに基づいて選択される、請求項１４に記載の方法。
【請求項１６】
前記指向性通信は、定められた放射状の範囲内にフォーカスされた前記セッションにおける通信を含む、請求項１に記載の方法。
【請求項１７】
前記定められた放射状の範囲は、前記１つ以上の第２の装置のうちの１つとのビームトレーニングによって決定される、請求項１６に記載の方法。
【請求項１８】
第１の装置において第１のプロトコルを使用して１つ以上の第２の装置に関する接続性情報を得て、
指向性に基づく第２のプロトコルを使用してダイレクトな指向性通信のために前記接続性情報に基づいて選択された前記１つ以上の第２の装置のうちの１つとセッションを確立する
ために装置において実行可能なコードを含むコンピュータ可読媒体
を含み、前記第１のプロトコルは、前記第２のプロトコルとは異なる、コンピュータプログラム製品。
【請求項１９】
第１のプロトコルを使用して１つ以上の第２の装置に関する接続性情報を得るための手段と、
指向性に基づく第２のプロトコルを使用してダイレクトな指向性通信のために前記接続性情報に基づいて選択された前記１つ以上の第２の装置のうちの１つとセッションを確立するための手段と
を含み、前記第１のプロトコルは、前記第２のプロトコルとは異なる、無線通信のための装置。
【請求項２０】
前記得るための手段は、
初期接続性情報を送信するための手段と、
前記送信された初期接続性情報に応答して前記接続性情報を受信するための手段と
をさらに含む、請求項１９に記載の装置。
【請求項２１】
前記得るための手段は、前記第１のプロトコルを使用して、複数のチャネルにわたり、前記１つ以上の第２の装置のうちの少なくとも１つに関連づけられたビーコン信号をスキャンするための手段をさらに含む、請求項１９に記載の装置。
【請求項２２】
前記得るための手段は、
プローブ要求を送信するための手段と、
前記１つ以上の第２の装置から少なくとも１つのプローブ応答を受信するための手段と
をさらに含む、請求項１９に記載の装置。
【請求項２３】
前記接続性情報は、前記１つ以上の第２の装置に関するデバイス識別子を含む、請求項１９に記載の装置。
【請求項２４】
前記接続性情報は、前記１つ以上の第２の装置に関する媒体アクセス制御層アドレスを含む、請求項１９に記載の装置。
【請求項２５】
前記接続性情報は、前記１つ以上の第２の装置に関する位置情報を含む、請求項１９に記載の装置。
【請求項２６】
前記第１のプロトコルを使用し、ＲＳＳＩ測定値を使用して前記位置情報を決定するための手段をさらに含む、請求項２５に記載の装置。
【請求項２７】
前記第１のプロトコルを使用して得られたラウンドトリップ遅延時間測定値を使用して前記位置情報を決定するための手段をさらに含む、請求項２５に記載の装置。
【請求項２８】
リクエスト・ツー・センド・メッセージの発信時間と、クリア・ツー・センド・メッセージの到着時間とを使用して、前記ラウンドトリップ遅延時間測定値を得るための手段をさらに含む、請求項２７に記載の装置。
【請求項２９】
プローブメッセージの発信および肯定応答メッセージの到着時間を使用して、前記ラウンドトリップ遅延時間測定値を得るための手段をさらに含む、請求項２７に記載の装置。
【請求項３０】
前記接続性情報は、
前記１つ以上の第２の装置に関するタイミング情報と、
前記１つ以上の第２の装置のために利用可能なアンテナの数と、
前記１つ以上の第２の装置のための通信に利用可能な方向と、
前記１つ以上の第２の装置に関する第２のプロトコルの互換性情報と、
前記１つ以上の第２の装置のために利用可能な第２のプロトコルのチャネルのリストと、または、
前記１つ以上の第２の装置に関する認証情報と
のうちの少なくとも１つを含む、請求項１９に記載の装置。
【請求項３１】
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、請求項１９に記載の装置。
【請求項３２】
前記確立するための手段は、
前記１つ以上の第２の装置のうちの１つを選択するための手段と、
前記第２のプロトコルに関連づけられたトランシーバをアクティベートするよう前記選択されたノードを促すために、前記第１のプロトコルを使用して、セッション開始メッセージを送信するための手段と、
前記１つ以上の第２の装置のうちの前記選択された１つからビーコン情報を受信するための手段と、
前記１つ以上の第２の装置のうちの前記選択された１つとのビームトレーニングを実行するための手段と
をさらに含む、請求項１９に記載の装置。
【請求項３３】
前記１つ以上の第２の装置のうちの１つは、
最も高い第１のプロトコルリンク品質と、
定められた機能と、または、
定められたデバイス識別子と
のうちの少なくとも１つに基づいて選択される、請求項３２に記載の装置。
【請求項３４】
前記指向性通信は、定められた放射状の範囲内にフォーカスされた前記セッションにおける通信を含む、請求項１９に記載の装置。
【請求項３５】
前記定められた放射状の範囲は、前記１つ以上の第２の装置のうちの１つとのビームトレーニングによって決定される、請求項３４に記載の装置。
【請求項３６】
アンテナと、
前記アンテナに結合された処理システムであって、
第１のプロトコルを使用して１つ以上の第２の装置に関する接続性情報を得て、
指向性に基づく第２のプロトコルを使用してダイレクトな指向性通信のために前記接続性情報に基づいて選択された前記１つ以上の第２の装置のうちの１つとセッションを確立する
ように構成された処理システムと
を含み、前記第１のプロトコルは、前記第２のプロトコルとは異なる、局。
【請求項３７】
無線通信のための装置であって、
第１のプロトコルを使用して１つ以上の第２の装置に関する接続性情報を得て、
指向性に基づく第２のプロトコルを使用してダイレクトな指向性通信のために前記接続性情報に基づいて選択された前記１つ以上の第２の装置のうちの１つとセッションを確立する
ように構成された処理システムを含み、前記第１のプロトコルは、前記第２のプロトコルとは異なる、装置。
【請求項３８】
初期接続性情報を送信し、
前記送信された初期接続性情報に応答して前記接続性情報を受信する
ように構成されたトランシーバをさらに含む、請求項３７に記載の装置。
【請求項３９】
前記第１のプロトコルを使用して、複数のチャネルにわたり、前記１つ以上の第２の装置のうちの少なくとも１つに関連づけられたビーコン信号をスキャンするように構成されたトランシーバをさらに含む、請求項３７に記載の装置。
【請求項４０】
プローブ要求を送信し、
前記１つ以上の第２の装置から少なくとも１つのプローブ応答を受信する
ように構成されたトランシーバをさらに含む、請求項３７に記載の装置。
【請求項４１】
前記接続性情報は、前記１つ以上の第２の装置に関するデバイス識別子を含む、請求項３７に記載の装置。
【請求項４２】
前記接続性情報は、前記１つ以上の第２の装置に関する媒体アクセス制御層アドレスを含む、請求項３７に記載の装置。
【請求項４３】
前記接続性情報は、前記１つ以上の第２の装置に関する位置情報を含む、請求項３７に記載の装置。
【請求項４４】
前記処理システムは、前記第１のプロトコルを使用し、ＲＳＳＩ測定値を使用して前記位置情報を決定するようにさらに構成されている、請求項４３に記載の装置。
【請求項４５】
前記処理システムは、前記第１のプロトコルを使用して得られたラウンドトリップ遅延時間測定値を使用して前記位置情報を決定するようにさらに構成されている、請求項４３に記載の装置。
【請求項４６】
前記処理システムは、リクエスト・ツー・センド・メッセージの発信時間と、クリア・ツー・センド・メッセージの到着時間とを使用して、前記ラウンドトリップ遅延時間測定値を得るようにさらに構成されている、請求項４５に記載の装置。
【請求項４７】
前記処理システムは、プローブメッセージの発信および肯定応答メッセージの到着時間を使用して、前記ラウンドトリップ遅延時間測定値を得るようにさらに構成されている、請求項４５に記載の装置。
【請求項４８】
前記接続性情報は、
前記１つ以上の第２の装置に関するタイミング情報と、
前記１つ以上の第２の装置のために利用可能なアンテナの数と、
前記１つ以上の第２の装置のための通信に利用可能な方向と、
前記１つ以上の第２の装置に関する第２のプロトコルの互換性情報と、
前記１つ以上の第２の装置のために利用可能な第２のプロトコルのチャネルのリストと、または、
前記１つ以上の第２の装置に関する認証情報と
のうちの少なくとも１つを含む、請求項３７に記載の装置。
【請求項４９】
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、請求項３７に記載の装置。
【請求項５０】
前記処理システムは、前記１つ以上の第２の装置のうちの１つを選択するようにさらに構成され、
トランシーバであって、
前記第２のプロトコルに関連づけられたトランシーバをアクティベートするよう前記選択されたノードを促すために、前記第１のプロトコルを使用して、セッション開始メッセージを送信し、
前記１つ以上の第２の装置のうちの前記選択された１つからビーコン情報を受信する
ように構成されたトランシーバ
をさらに含み、
前記処理システムは、前記１つ以上の第２の装置のうちの前記選択された１つとのビームトレーニングを実行するようにさらに構成されている、請求項３７に記載の装置。
【請求項５１】
前記１つ以上の第２の装置のうちの１つは、
最も高い第１のプロトコルリンク品質と、
定められた機能と、または、
定められたデバイス識別子と
のうちの少なくとも１つに基づいて選択される、請求項５０に記載の装置。
【請求項５２】
前記指向性通信は、定められた放射状の範囲内にフォーカスされた前記セッションにおける通信を含む、請求項３７に記載の装置。
【請求項５３】
前記処理システムは、前記１つ以上の第２の装置のうちの１つとのビームトレーニングによって前記定められた放射状の範囲を決定するようにさらに構成されている、請求項５２に記載の装置。
【手続補正２】
【補正対象書類名】明細書
【補正対象項目名】００５８
【補正方法】変更
【補正の内容】
【００５８】
１つ以上の例示的な態様において、説明された機能は、ハードウェア、ソフトウェア、ファームウェア、またはそれらの任意の組み合わせで実現され得る。ソフトウェアで実現される場合、機能は、コンピュータ可読媒体により、１つ以上の命令またはコードとして、記憶または伝送され得る。コンピュータ可読媒体は、コンピュータ記憶媒体と、ある場所から別の場所へのコンピュータプログラムの転送を容易にする任意の媒体を含む通信媒体と、の両方を含む。記憶媒体は、コンピュータによってアクセスされ得る任意の入手可能な媒体であることができる。限定ではなく例として、そのようなコンピュータ可読媒体は、ＲＡＭ、ＲＯＭ、ＥＥＰＲＯＭ、ＣＤ−ＲＯＭ、または他の光学ディスク記憶装置、磁気ディスク記憶装置または他の磁気記憶装置、または、所望のプログラムコードを命令またはデータ構造の形態で搬送または記憶するために使用されることができ、コンピュータによってアクセスされることができる、任意の他の媒体を含むことができる。さらに、いかなる接続も、コンピュータ可読媒体と適切に称される。たとえば、ソフトウェアが、同軸ケーブル、光ファイバーケーブル、ツイストペア、デジタル加入者線（ＤＳＬ）、または、赤外線、無線、マイクロ波といった無線技術を使用して、ウェブサイト、サーバー、または他の遠隔ソースから伝送される場合、同軸ケーブル、光ファイバーケーブル、ツイストペア、ＤＳＬ、または、赤外線、無線、マイクロ波といった無線技術が、媒体の定義に含まれる。本明細書で使用されるディスク（diskおよびdisc）は、コンパクトディスク（ＣＤ）（disc）、レーザーディスク（登録商標）（disc）、光ディスク（disc）、デジタル多用途ディスク（ＤＶＤ）（disc）、フロッピー(登録商標）ディスク(disk）、およびブルーレイ（登録商標）ディスク（disc）を含み、ディスク（disc）は、レーザーを用いてデータを光学的に再生するが、ディスク（disk）は、通常、データを磁気的に再生する。上記の組み合わせもまた、コンピュータ可読媒体の範囲内に含まれるべきである。
なお、以下に、出願当初の特許請求の範囲に記載された発明を付記する。
［Ｃ１］
第１のプロトコルを使用して１つ以上の装置に関する接続性情報を得ることと、
第２のプロトコルを使用して指向性通信のために前記１つ以上の装置のうちの１つとセッションを確立することと
を含み、前記第１のプロトコルは、前記第２のプロトコルとは異なる、無線通信方法。
［Ｃ２］
前記接続性情報は、初期接続性情報を送信することと、前記送信された初期接続性情報に応答して前記接続性情報を受信することとによって得られる、Ｃ１に記載の方法。
［Ｃ３］
前記接続性情報は、前記第１のプロトコルを使用して、複数のチャネルにわたり、前記１つ以上の装置のうちの少なくとも１つに関連づけられたビーコン信号をスキャンすることによって得られる、Ｃ１に記載の方法。
［Ｃ４］
前記接続性情報は、プローブ要求を送信することと、前記１つ以上の装置から少なくとも１つのプローブ応答を受信することとによって得られる、Ｃ１に記載の方法。
［Ｃ５］
前記接続性情報は、前記１つ以上の装置に関するデバイス識別子を含む、Ｃ１に記載の方法。
［Ｃ６］
前記接続性情報は、前記１つ以上の装置に関する媒体アクセス制御層アドレスを含む、Ｃ１に記載の方法。
［Ｃ７］
前記接続性情報は、前記１つ以上の装置に関する位置情報を含む、Ｃ１に記載の方法。
［Ｃ８］
前記位置情報は、前記第１のプロトコルを使用し、受信信号強度インジケータ（ＲＳＳＩ）測定値を使用して決定される、Ｃ７に記載の方法。
［Ｃ９］
前記位置情報は、前記第１のプロトコルを使用して得られたラウンドトリップ遅延時間測定値を使用して決定される、Ｃ７に記載の方法。
［Ｃ１０］
前記ラウンドトリップ遅延時間測定値は、リクエスト・ツー・センド・メッセージの発信時間と、クリア・ツー・センド・メッセージの到着時間とを使用して得られる、Ｃ９に記載の方法。
［Ｃ１１］
前記ラウンドトリップ遅延時間測定値は、プローブメッセージの発信および肯定応答メッセージの到着時間を使用して得られる、Ｃ９に記載の方法。
［Ｃ１２］
前記接続性情報は、
前記１つ以上の装置に関するタイミング情報と、
前記１つ以上の装置のために利用可能なアンテナの数と、
前記１つ以上の装置のための通信に利用可能な方向と、
前記１つ以上の装置に関する第２のプロトコルの互換性情報と、
前記１つ以上の装置のために利用可能な第２のプロトコルのチャネルのリストと、または、
前記１つ以上の装置に関する認証情報と
のうちの少なくとも１つを含む、Ｃ１に記載の方法。
［Ｃ１３］
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、Ｃ１に記載の方法。
［Ｃ１４］
前記セッションの確立は、
前記１つ以上の装置のうちの１つを選択することと、
前記第２のプロトコルに関連づけられたトランシーバをアクティベートするよう前記選択されたノードを促すために、前記第１のプロトコルを使用して、セッション開始メッセージを送信することと、
前記１つ以上の装置のうちの前記選択された１つからビーコン情報を受信することと、
前記１つ以上の装置のうちの前記選択された１つとのビームトレーニングを実行することと
を含む、Ｃ１に記載の方法。
［Ｃ１５］
前記１つ以上の装置のうちの１つは、
最も高い第１のプロトコルリンク品質と、
定められた機能と、または、
定められたデバイス識別子と
のうちの少なくとも１つに基づいて選択される、Ｃ１４に記載の方法。
［Ｃ１６］
前記指向性通信は、定められた放射状の範囲内にフォーカスされた前記セッションにおける通信を含む、Ｃ１に記載の方法。
［Ｃ１７］
前記定められた放射状の範囲は、前記１つ以上の装置のうちの１つとのビームトレーニングによって決定される、Ｃ１６に記載の方法。
［Ｃ１８］
第１のプロトコルを使用して１つ以上の装置に関する接続性情報を得て、
第２のプロトコルを使用して指向性通信のために前記１つ以上の装置のうちの１つとセッションを確立する
ために実行可能なコードを含むコンピュータ可読媒体
を含み、前記第１のプロトコルは、前記第２のプロトコルとは異なる、コンピュータプログラム製品。
［Ｃ１９］
第１のプロトコルを使用して１つ以上の装置に関する接続性情報を得るための手段と、
第２のプロトコルを使用して指向性通信のために前記１つ以上の装置のうちの１つとセッションを確立するための手段と
を含み、前記第１のプロトコルは、前記第２のプロトコルとは異なる、無線通信のための装置。
［Ｃ２０］
前記得るための手段は、
初期接続性情報を送信するための手段と、
前記送信された初期接続性情報に応答して前記接続性情報を受信するための手段と
をさらに含む、Ｃ１９に記載の装置。
［Ｃ２１］
前記得るための手段は、前記第１のプロトコルを使用して、複数のチャネルにわたり、前記１つ以上の装置のうちの少なくとも１つに関連づけられたビーコン信号をスキャンするための手段をさらに含む、Ｃ１９に記載の装置。
［Ｃ２２］
前記得るための手段は、
プローブ要求を送信するための手段と、
前記１つ以上の装置から少なくとも１つのプローブ応答を受信するための手段と
をさらに含む、Ｃ１９に記載の装置。
［Ｃ２３］
前記接続性情報は、前記１つ以上の装置に関するデバイス識別子を含む、Ｃ１９に記載の装置。
［Ｃ２４］
前記接続性情報は、前記１つ以上の装置に関する媒体アクセス制御層アドレスを含む、Ｃ１９に記載の装置。
［Ｃ２５］
前記接続性情報は、前記１つ以上の装置に関する位置情報を含む、Ｃ１９に記載の装置。
［Ｃ２６］
前記第１のプロトコルを使用し、ＲＳＳＩ測定値を使用して前記位置情報を決定するための手段をさらに含む、Ｃ２５に記載の装置。
［Ｃ２７］
前記第１のプロトコルを使用して得られたラウンドトリップ遅延時間測定値を使用して前記位置情報を決定するための手段をさらに含む、Ｃ２５に記載の装置。
［Ｃ２８］
リクエスト・ツー・センド・メッセージの発信時間と、クリア・ツー・センド・メッセージの到着時間とを使用して、前記ラウンドトリップ遅延時間測定値を得るための手段をさらに含む、Ｃ２７に記載の装置。
［Ｃ２９］
プローブメッセージの発信および肯定応答メッセージの到着時間を使用して、前記ラウンドトリップ遅延時間測定値を得るための手段をさらに含む、Ｃ２７に記載の装置。
［Ｃ３０］
前記接続性情報は、
前記１つ以上の装置に関するタイミング情報と、
前記１つ以上の装置のために利用可能なアンテナの数と、
前記１つ以上の装置のための通信に利用可能な方向と、
前記１つ以上の装置に関する第２のプロトコルの互換性情報と、
前記１つ以上の装置のために利用可能な第２のプロトコルのチャネルのリストと、または、
前記１つ以上の装置に関する認証情報と
のうちの少なくとも１つを含む、Ｃ１９に記載の装置。
［Ｃ３１］
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、Ｃ１９に記載の装置。
［Ｃ３２］
前記確立するための手段は、
前記１つ以上の装置のうちの１つを選択するための手段と、
前記第２のプロトコルに関連づけられたトランシーバをアクティベートするよう前記選択されたノードを促すために、前記第１のプロトコルを使用して、セッション開始メッセージを送信するための手段と、
前記１つ以上の装置のうちの前記選択された１つからビーコン情報を受信するための手段と、
前記１つ以上の装置のうちの前記選択された１つとのビームトレーニングを実行するための手段と
をさらに含む、Ｃ１９に記載の装置。
［Ｃ３３］
前記１つ以上の装置のうちの１つは、
最も高い第１のプロトコルリンク品質と、
定められた機能と、または、
定められたデバイス識別子と
のうちの少なくとも１つに基づいて選択される、Ｃ３２に記載の装置。
［Ｃ３４］
前記指向性通信は、定められた放射状の範囲内にフォーカスされた前記セッションにおける通信を含む、Ｃ１９に記載の装置。
［Ｃ３５］
前記定められた放射状の範囲は、前記１つ以上の装置のうちの１つとのビームトレーニングによって決定される、Ｃ３４に記載の装置。
［Ｃ３６］
アンテナと、
前記アンテナに結合された処理システムであって、
第１のプロトコルを使用して１つ以上の装置に関する接続性情報を得て、
第２のプロトコルを使用して指向性通信のために前記１つ以上の装置のうちの１つとセッションを確立する
ように構成された処理システムと
を含み、前記第１のプロトコルは、前記第２のプロトコルとは異なる、局。
［Ｃ３７］
無線通信のための装置であって、
第１のプロトコルを使用して１つ以上の装置に関する接続性情報を得て、
第２のプロトコルを使用して指向性通信のために前記１つ以上の装置のうちの１つとセッションを確立する
ように構成された処理システムを含み、前記第１のプロトコルは、前記第２のプロトコルとは異なる、装置。
［Ｃ３８］
初期接続性情報を送信し、
前記送信された初期接続性情報に応答して前記接続性情報を受信する
ように構成されたトランシーバをさらに含む、Ｃ３７に記載の装置。
［Ｃ３９］
前記第１のプロトコルを使用して、複数のチャネルにわたり、前記１つ以上の装置のうちの少なくとも１つに関連づけられたビーコン信号をスキャンするように構成されたトランシーバをさらに含む、Ｃ３７に記載の装置。
［Ｃ４０］
プローブ要求を送信し、
前記１つ以上の装置から少なくとも１つのプローブ応答を受信する
ように構成されたトランシーバをさらに含む、Ｃ３７に記載の装置。
［Ｃ４１］
前記接続性情報は、前記１つ以上の装置に関するデバイス識別子を含む、Ｃ３７に記載の装置。
［Ｃ４２］
前記接続性情報は、前記１つ以上の装置に関する媒体アクセス制御層アドレスを含む、Ｃ３７に記載の装置。
［Ｃ４３］
前記接続性情報は、前記１つ以上の装置に関する位置情報を含む、Ｃ３７に記載の装置。
［Ｃ４４］
前記処理システムは、前記第１のプロトコルを使用し、ＲＳＳＩ測定値を使用して前記位置情報を決定するようにさらに構成されている、Ｃ４３に記載の装置。
［Ｃ４５］
前記処理システムは、前記第１のプロトコルを使用して得られたラウンドトリップ遅延時間測定値を使用して前記位置情報を決定するようにさらに構成されている、Ｃ４３に記載の装置。
［Ｃ４６］
前記処理システムは、リクエスト・ツー・センド・メッセージの発信時間と、クリア・ツー・センド・メッセージの到着時間とを使用して、前記ラウンドトリップ遅延時間測定値を得るようにさらに構成されている、Ｃ４５に記載の装置。
［Ｃ４７］
前記処理システムは、プローブメッセージの発信および肯定応答メッセージの到着時間を使用して、前記ラウンドトリップ遅延時間測定値を得るようにさらに構成されている、Ｃ４５に記載の装置。
［Ｃ４８］
前記接続性情報は、
前記１つ以上の装置に関するタイミング情報と、
前記１つ以上の装置のために利用可能なアンテナの数と、
前記１つ以上の装置のための通信に利用可能な方向と、
前記１つ以上の装置に関する第２のプロトコルの互換性情報と、
前記１つ以上の装置のために利用可能な第２のプロトコルのチャネルのリストと、または、
前記１つ以上の装置に関する認証情報と
のうちの少なくとも１つを含む、Ｃ３７に記載の装置。
［Ｃ４９］
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、Ｃ３７に記載の装置。
［Ｃ５０］
前記処理システムは、前記１つ以上の装置のうちの１つを選択するようにさらに構成され、
トランシーバであって、
前記第２のプロトコルに関連づけられたトランシーバをアクティベートするよう前記選択されたノードを促すために、前記第１のプロトコルを使用して、セッション開始メッセージを送信し、
前記１つ以上の装置のうちの前記選択された１つからビーコン情報を受信する
ように構成されたトランシーバ
をさらに含み、
前記処理システムは、前記１つ以上の装置のうちの前記選択された１つとのビームトレーニングを実行するようにさらに構成されている、Ｃ３１に記載の装置。
［Ｃ５１］
前記１つ以上の装置のうちの１つは、
最も高い第１のプロトコルリンク品質と、
定められた機能と、または、
定められたデバイス識別子と
のうちの少なくとも１つに基づいて選択される、Ｃ５０に記載の装置。
［Ｃ５２］
前記指向性通信は、定められた放射状の範囲内にフォーカスされた前記セッションにおける通信を含む、Ｃ３７に記載の装置。
［Ｃ５３］
前記処理システムは、前記１つ以上の装置のうちの１つとのビームトレーニングによって前記定められた放射状の範囲を決定するようにさらに構成されている、Ｃ５２に記載の装置。
【手続補正書】
【提出日】平成24年10月10日(2012.10.10)
【手続補正１】
【補正対象書類名】特許請求の範囲
【補正対象項目名】全文
【補正方法】変更
【補正の内容】
【特許請求の範囲】
【請求項１】
第１の装置において、第１のプロトコルを使用して、接続性支援システムから、１つ以上の第２の装置に関する接続性情報を得ることと、
指向性に基づく第２のプロトコルを使用してダイレクトな指向性通信のために前記接続性情報に基づいて選択された前記１つ以上の第２の装置のうちの１つとセッションを確立することと
を含み、前記第１のプロトコルは、前記第２のプロトコルとは異なる、無線通信方法。
【請求項２】
前記接続性情報は、初期接続性情報を送信することと、前記送信された初期接続性情報に応答して前記接続性情報を受信することとによって得られる、請求項１に記載の方法。
【請求項３】
前記接続性情報は、前記第１のプロトコルを使用して、複数のチャネルにわたり、前記１つ以上の第２の装置のうちの少なくとも１つに関連づけられたビーコン信号をスキャンすることによって得られる、請求項１に記載の方法。
【請求項４】
前記接続性情報は、前記第１のプロトコルを使用して、プローブ要求を送信することと、前記１つ以上の第２の装置から少なくとも１つのプローブ応答を受信することとによって得られる、請求項１に記載の方法。
【請求項５】
前記接続性情報は、前記１つ以上の第２の装置に関するデバイス識別子を含む、請求項１に記載の方法。
【請求項６】
前記接続性情報は、前記１つ以上の第２の装置に関する媒体アクセス制御層アドレスを含む、請求項１に記載の方法。
【請求項７】
前記接続性情報は、前記１つ以上の第２の装置に関する位置情報を含む、請求項１に記載の方法。
【請求項８】
前記位置情報は、前記第１のプロトコルを使用し、受信信号強度インジケータ（ＲＳＳＩ）測定値を使用して決定される、請求項７に記載の方法。
【請求項９】
前記位置情報は、前記第１のプロトコルを使用して得られたラウンドトリップ遅延時間測定値を使用して決定される、請求項７に記載の方法。
【請求項１０】
前記ラウンドトリップ遅延時間測定値は、リクエスト・ツー・センド・メッセージの発信時間と、クリア・ツー・センド・メッセージの到着時間とを使用して得られる、請求項９に記載の方法。
【請求項１１】
前記ラウンドトリップ遅延時間測定値は、プローブメッセージの発信時間および肯定応答メッセージの到着時間を使用して得られる、請求項９に記載の方法。
【請求項１２】
前記接続性情報は、
前記１つ以上の第２の装置に関するタイミング情報と、
前記１つ以上の第２の装置のために利用可能なアンテナの数と、
前記１つ以上の第２の装置のための通信に利用可能な方向と、
前記１つ以上の第２の装置に関する第２のプロトコルの互換性情報と、
前記１つ以上の第２の装置のために利用可能な第２のプロトコルのチャネルのリストと、または、
前記１つ以上の第２の装置に関する認証情報と
のうちの少なくとも１つを含む、請求項１に記載の方法。
【請求項１３】
前記第１のプロトコルは、
無線ローカルエリアネットワークに基づくプロトコルと、
セルラーネットワークプロトコルと、
Ｂｌｕｅｔｏｏｔｈ（登録商標）プロトコルと、または、
ＩＥＥＥ ８０２．１１プロトコルと
のうちの少なくとも１つを含む、請求項１に記載の方法。
【請求項１４】
前記セッションの確立は、
前記１つ以上の第２の装置のうちの１つを選択することと、
前記第２のプロトコルに関連づけられたトランシーバをアクティベートするよう前記選択された１つを促すために、前記第１のプロトコルを使用して、セッション開始メッセージを送信することと、
前記１つ以上の第２の装置のうちの前記選択された１つからビーコン情報を受信することと、
前記１つ以上の第２の装置のうちの前記選択された１つとのビームトレーニングを実行することと
を含む、請求項１に記載の方法。
【請求項１５】
前記１つ以上の第２の装置のうちの１つは、
最も高い第１のプロトコルリンク品質と、
定められた機能と、または、
定められたデバイス識別子と
のうちの少なくとも１つに基づいて選択される、請求項１４に記載の方法。
【請求項１６】
前記指向性通信は、定められた放射状の範囲内にフォーカスされた前記セッションにおける通信を含む、請求項１に記載の方法。
【請求項１７】
前記定められた放射状の範囲は、前記１つ以上の第２の装置のうちの１つとのビームトレーニングによって決定される、請求項１６に記載の方法。
【請求項１８】
第１の装置において第１のプロトコルを使用して１つ以上の第２の装置に関する接続性情報を得て、
指向性に基づく第２のプロトコルを使用してダイレクトな指向性通信のために前記接続性情報に基づいて選択された前記１つ以上の第２の装置のうちの１つとセッションを確立する
ために装置において実行可能なコードを含むコンピュータ可読媒体
を含み、前記第１のプロトコルは、前記第２のプロトコルとは異なる、コンピュータプログラム製品。
【請求項１９】
第１のプロトコルを使用して１つ以上の第２の装置に関する接続性情報を得るための手段と、
指向性に基づく第２のプロトコルを使用してダイレクトな指向性通信のために前記接続性情報に基づいて選択された前記１つ以上の第２の装置のうちの１つとセッションを確立するための手段と
を含み、前記第１のプロトコルは、前記第２のプロトコルとは異なる、無線通信のための装置。
【請求項２０】
前記得るための手段は、
初期接続性情報を送信するための手段と、
前記送信された初期接続性情報に応答して前記接続性情報を受信するための手段と
をさらに含む、請求項１９に記載の装置。
【請求項２１】
前記得るための手段は、前記第１のプロトコルを使用して、複数のチャネルにわたり、前記１つ以上の第２の装置のうちの少なくとも１つに関連づけられたビーコン信号をスキャンするための手段をさらに含む、請求項１９に記載の装置。
【請求項２２】
前記得るための手段は、
プローブ要求を送信するための手段と、
前記１つ以上の第２の装置から少なくとも１つのプローブ応答を受信するための手段と
をさらに含む、請求項１９に記載の装置。
【請求項２３】
前記接続性情報は、前記１つ以上の第２の装置に関するデバイス識別子を含む、請求項１９に記載の装置。
【請求項２４】
前記接続性情報は、前記１つ以上の第２の装置に関する媒体アクセス制御層アドレスを含む、請求項１９に記載の装置。
【請求項２５】
前記接続性情報は、前記１つ以上の第２の装置に関する位置情報を含む、請求項１９に記載の装置。
【請求項２６】
前記第１のプロトコルを使用し、ＲＳＳＩ測定値を使用して前記位置情報を決定するための手段をさらに含む、請求項２５に記載の装置。
【請求項２７】
前記第１のプロトコルを使用して得られたラウンドトリップ遅延時間測定値を使用して前記位置情報を決定するための手段をさらに含む、請求項２５に記載の装置。
【請求項２８】
リクエスト・ツー・センド・メッセージの発信時間と、クリア・ツー・センド・メッセージの到着時間とを使用して、前記ラウンドトリップ遅延時間測定値を得るための手段をさらに含む、請求項２７に記載の装置。
【請求項２９】
プローブメッセージの発信時間および肯定応答メッセージの到着時間を使用して、前記ラウンドトリップ遅延時間測定値を得るための手段をさらに含む、請求項２７に記載の装置。
【請求項３０】
前記接続性情報は、
前記１つ以上の第２の装置に関するタイミング情報と、
前記１つ以上の第２の装置のために利用可能なアンテナの数と、
前記１つ以上の第２の装置のための通信に利用可能な方向と、
前記１つ以上の第２の装置に関する第２のプロトコルの互換性情報と、
前記１つ以上の第２の装置のために利用可能な第２のプロトコルのチャネルのリストと、または、
前記１つ以上の第２の装置に関する認証情報と
のうちの少なくとも１つを含む、請求項１９に記載の装置。
【請求項３１】
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、請求項１９に記載の装置。
【請求項３２】
前記確立するための手段は、
前記１つ以上の第２の装置のうちの１つを選択するための手段と、
前記第２のプロトコルに関連づけられたトランシーバをアクティベートするよう前記選択された１つを促すために、前記第１のプロトコルを使用して、セッション開始メッセージを送信するための手段と、
前記１つ以上の第２の装置のうちの前記選択された１つからビーコン情報を受信するための手段と、
前記１つ以上の第２の装置のうちの前記選択された１つとのビームトレーニングを実行するための手段と
をさらに含む、請求項１９に記載の装置。
【請求項３３】
前記１つ以上の第２の装置のうちの１つは、
最も高い第１のプロトコルリンク品質と、
定められた機能と、または、
定められたデバイス識別子と
のうちの少なくとも１つに基づいて選択される、請求項３２に記載の装置。
【請求項３４】
前記指向性通信は、定められた放射状の範囲内にフォーカスされた前記セッションにおける通信を含む、請求項１９に記載の装置。
【請求項３５】
前記定められた放射状の範囲は、前記１つ以上の第２の装置のうちの１つとのビームトレーニングによって決定される、請求項３４に記載の装置。
【請求項３６】
アンテナと、
前記アンテナに結合された処理システムであって、
第１のプロトコルを使用して１つ以上の第２の装置に関する接続性情報を得て、
指向性に基づく第２のプロトコルを使用してダイレクトな指向性通信のために前記接続性情報に基づいて選択された前記１つ以上の第２の装置のうちの１つとセッションを確立する
ように構成された処理システムと
を含み、前記第１のプロトコルは、前記第２のプロトコルとは異なる、局。
【請求項３７】
無線通信のための装置であって、
第１のプロトコルを使用して１つ以上の第２の装置に関する接続性情報を得て、
指向性に基づく第２のプロトコルを使用してダイレクトな指向性通信のために前記接続性情報に基づいて選択された前記１つ以上の第２の装置のうちの１つとセッションを確立する
ように構成された処理システムを含み、前記第１のプロトコルは、前記第２のプロトコルとは異なる、装置。
【請求項３８】
初期接続性情報を送信し、
前記送信された初期接続性情報に応答して前記接続性情報を受信する
ように構成されたトランシーバをさらに含む、請求項３７に記載の装置。
【請求項３９】
前記第１のプロトコルを使用して、複数のチャネルにわたり、前記１つ以上の第２の装置のうちの少なくとも１つに関連づけられたビーコン信号をスキャンするように構成されたトランシーバをさらに含む、請求項３７に記載の装置。
【請求項４０】
プローブ要求を送信し、
前記１つ以上の第２の装置から少なくとも１つのプローブ応答を受信する
ように構成されたトランシーバをさらに含む、請求項３７に記載の装置。
【請求項４１】
前記接続性情報は、前記１つ以上の第２の装置に関するデバイス識別子を含む、請求項３７に記載の装置。
【請求項４２】
前記接続性情報は、前記１つ以上の第２の装置に関する媒体アクセス制御層アドレスを含む、請求項３７に記載の装置。
【請求項４３】
前記接続性情報は、前記１つ以上の第２の装置に関する位置情報を含む、請求項３７に記載の装置。
【請求項４４】
前記処理システムは、前記第１のプロトコルを使用し、ＲＳＳＩ測定値を使用して前記位置情報を決定するようにさらに構成されている、請求項４３に記載の装置。
【請求項４５】
前記処理システムは、前記第１のプロトコルを使用して得られたラウンドトリップ遅延時間測定値を使用して前記位置情報を決定するようにさらに構成されている、請求項４３に記載の装置。
【請求項４６】
前記処理システムは、リクエスト・ツー・センド・メッセージの発信時間と、クリア・ツー・センド・メッセージの到着時間とを使用して、前記ラウンドトリップ遅延時間測定値を得るようにさらに構成されている、請求項４５に記載の装置。
【請求項４７】
前記処理システムは、プローブメッセージの発信時間および肯定応答メッセージの到着時間を使用して、前記ラウンドトリップ遅延時間測定値を得るようにさらに構成されている、請求項４５に記載の装置。
【請求項４８】
前記接続性情報は、
前記１つ以上の第２の装置に関するタイミング情報と、
前記１つ以上の第２の装置のために利用可能なアンテナの数と、
前記１つ以上の第２の装置のための通信に利用可能な方向と、
前記１つ以上の第２の装置に関する第２のプロトコルの互換性情報と、
前記１つ以上の第２の装置のために利用可能な第２のプロトコルのチャネルのリストと、または、
前記１つ以上の第２の装置に関する認証情報と
のうちの少なくとも１つを含む、請求項３７に記載の装置。
【請求項４９】
前記第１のプロトコルは、
無線ローカルエリアネットワークに基づくプロトコルと、
セルラーネットワークプロトコルと、
Ｂｌｕｅｔｏｏｔｈプロトコルと、または、
ＩＥＥＥ ８０２．１１プロトコルと
のうちの少なくとも１つを含む、請求項３７に記載の装置。
【請求項５０】
前記処理システムは、前記１つ以上の第２の装置のうちの１つを選択するようにさらに構成され、
トランシーバであって、
前記第２のプロトコルに関連づけられたトランシーバをアクティベートするよう前記選択された１つを促すために、前記第１のプロトコルを使用して、セッション開始メッセージを送信し、
前記１つ以上の第２の装置のうちの前記選択された１つからビーコン情報を受信する
ように構成されたトランシーバ
をさらに含み、
前記処理システムは、前記１つ以上の第２の装置のうちの前記選択された１つとのビームトレーニングを実行するようにさらに構成されている、請求項３７に記載の装置。
【請求項５１】
前記１つ以上の第２の装置のうちの１つは、
最も高い第１のプロトコルリンク品質と、
定められた機能と、または、
定められたデバイス識別子と
のうちの少なくとも１つに基づいて選択される、請求項５０に記載の装置。
【請求項５２】
前記指向性通信は、定められた放射状の範囲内にフォーカスされた前記セッションにおける通信を含む、請求項３７に記載の装置。
【請求項５３】
前記処理システムは、前記１つ以上の第２の装置のうちの１つとのビームトレーニングによって前記定められた放射状の範囲を決定するようにさらに構成されている、請求項５２に記載の装置。
【手続補正２】
【補正対象書類名】明細書
【補正対象項目名】００２１
【補正方法】変更
【補正の内容】
【００２１】
無線通信システム１００は、ＭＩＭＯ技術をサポートすることができる。ＭＩＭＯ技術を使用し、複数のアクセス端末１１０、１３０は、空間分割多元接続（ＳＤＭＡ）を使用して同時に通信することができる。ＳＤＭＡは、異なる受信機へと同時に送信された複数のストリームに、同一の周波数チャネルを共有すること、または、異なる周波数を使用して通信することを可能にさせ、結果として、より高いユーザーキャパシティを提供する多元接続方式である。これは、データストリームの各々を空間的にプリコーディングし、ついで、空間的にプリコーディングされたストリームの各々を、下りリンクで異なる送信アンテナを介して送信することにより実現される。空間的にプリコーディングされたデータストリームは、異なる空間シグネチャとともにアクセス端末に到着し、それは、アクセス端末１１０、１３０の各々に、そのアクセス端末１１０、１３０に宛てられたデータストリームをリカバーすることを可能にさせる。上りリンクで、アクセス端末１１０、１３０の各々は、空間的にプリコーディングされたデータストリームを送信し、それは、空間的にプリコーディングされたデータストリームの各々のソースの識別が知られるようにすることができる。
【手続補正３】
【補正対象書類名】明細書
【補正対象項目名】００３４
【補正方法】変更
【補正の内容】
【００３４】
さらに、無線通信デバイス３００は、ユーザーインターフェース３４０を含むことができる。ユーザーインターフェース３４０は、通信デバイス３００への入力を生成する入力メカニズム３４２と、通信デバイス３００のユーザーによって消費される情報を生成する出力メカニズム３４４と、を含むことができる。たとえば、入力メカニズム３４２は、キーまたはキーボード、マウス、タッチスクリーンディスプレイ、マイクロフォン、等といったメカニズムを含むことができる。さらに、出力メカニズム３４４は、たとえば、ディスプレイ、オーディオスピーカー、触覚（haptic）フィードバックメカニズム、パーソナルエリアネットワーク（ＰＡＮ）トランシーバ、等を含むことができる。例示的な態様において、出力メカニズム３４４は、画像または映像フォーマットの媒体コンテンツを提示するように動作可能なディスプレイ、またはオーディオフォーマットの媒体コンテンツを提示するためのオーディオスピーカーを含むことができる。
【手続補正４】
【補正対象書類名】明細書
【補正対象項目名】００４２
【補正方法】変更
【補正の内容】
【００４２】
ＴＸ空間プロセッサ５０５は、ＯＦＤＭストリームに対する空間処理を実行する。これは、各ＯＦＤＭストリームを空間的にプリコーディングし、次いで、空間的にプリコーディングされたストリームの各々を、トランシーバ５０６を介して異なるアンテナに供給することによって実現され得る。各トランシーバ５０６は、無線チャネルでの送信のために、プリコーディングされたストリームの各々によってＲＦキャリアを変調する。
【手続補正５】
【補正対象書類名】明細書
【補正対象項目名】００４３
【補正方法】変更
【補正の内容】
【００４３】
受信モードでは、各トランシーバ５０６が、その各々のアンテナによって信号を受信する。各トランシーバ５０６は、ＲＦキャリアへと変調された情報をリカバーし、その情報をＲＸ空間プロセッサ５１０に提供するために使用されることができる。
【手続補正６】
【補正対象書類名】明細書
【補正対象項目名】００４７
【補正方法】変更
【補正の内容】
【００４７】
図６は、無線ノードにおける処理システムのためのハードウェア構成の例を示す概念図である。この例において、処理システム６００は、バス６０２により概して表されているバスアーキテクチャを用いて実現されることができる。バス６０２は、処理システム６００の特定の用途および全体的な設計の制約に依存して、任意の数の相互接続バスおよびブリッジを含むことができる。バスは、プロセッサ６０４、コンピュータ可読媒体６０６、およびバスインターフェース６０８を含むさまざまな回路をまとめて連結する。バスインターフェース６０８は、とりわけ、バス６０２を介して処理システム６００に、ネットワークアダプタ６１０を接続するために使用されることができる。ネットワークアダプタ６１０は、ＰＨＹ層の信号処理機能を実現するために使用されることができる。アクセス端末１１０（図１を参照）の場合、ユーザーインターフェース６１２（たとえば、キーパッド、ディスプレイ、マウス、ジョイスティック、等）も、また、バスインターフェース６０８を介してバスに接続されることができる。バス６０２は、タイミングソース、周辺機器、電圧調整器、電力管理回路、等といったさまざまな他の回路を連結することもできるが、これらは、当該技術分野で周知であるため、これ以上は説明しない。
【手続補正７】
【補正対象書類名】明細書
【補正対象項目名】００４８
【補正方法】変更
【補正の内容】
【００４８】
プロセッサ６０４は、バスの管理、および、コンピュータ可読媒体６０６に記憶されたソフトウェアの実行を含む一般的な処理を行う役割を担う。プロセッサ６０４は、１つ以上の汎用および／または専用プロセッサによって実現されることができる。例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート制御された論理、離散ハードウェア回路、および、この開示を通して説明されたさまざまな機能を実行するように構成された他の適切なハードウェアを含む。
【手続補正８】
【補正対象書類名】明細書
【補正対象項目名】００５１
【補正方法】変更
【補正の内容】
【００５１】
図６に示したハードウェアの実現において、コンピュータ可読媒体６０６は、プロセッサ６０４とは別個の処理システム６００の一部として示されている。しかしながら、当業者に容易に理解されるように、コンピュータ可読媒体６０６またはその任意の一部は、処理システム６００の外部にあることもできる。例として、コンピュータ可読媒体６０６は、伝送回線、データによって変調された搬送波、および／または、無線ノードとは別個のコンピュータ製品を含むことができ、それらのすべては、バスインターフェース６０８を介してプロセッサ６０４によりアクセスされることができる。あるいは、または、さらに、コンピュータ可読媒体６０６またはその任意の一部は、プロセッサ６０４に組み込まれることができ、たとえば、そのケースは、キャッシュおよび／または汎用レジスタファイルを伴うことができる。
【手続補正９】
【補正対象書類名】明細書
【補正対象項目名】００５３
【補正方法】変更
【補正の内容】
【００５３】
図７は、例示的な装置６００の機能を説明する概念的なブロック図７００である。装置６００は、第１のプロトコルを使用して１つ以上の装置に関する接続性情報を得るモジュール７０２と、第２のプロトコルを使用して指向性通信のために上記１つ以上の装置のうちの１つとセッションを確立するモジュール７０４とを含み、ここで、第１のプロトコルは、第２のプロトコルとは異なる。
【手続補正１０】
【補正対象書類名】明細書
【補正対象項目名】００５４
【補正方法】変更
【補正の内容】
【００５４】
図１および図６を参照すると、１つの構成において、無線通信のための装置６００は、第１のプロトコルを使用して１つ以上の装置に関する接続性情報を得るための手段と、第２のプロトコルを使用して指向性通信のために上記１つ以上の装置のうちの１つとセッションを確立するための手段とを含み、ここで、第１のプロトコルは、第２のプロトコルとは異なる。別の構成において、無線通信のための装置６００は、初期接続性情報を送信するための手段と、送信された初期接続性情報に応答して接続性情報を受信するための手段とを含む。別の構成において、無線通信のための装置６００は、第１のプロトコルを使用して、複数のチャネルにわたり、１つ以上の装置のうちの少なくとも１つに関連づけられたビーコン信号をスキャンするための手段を含む。別の構成において、無線通信のための装置６００は、プローブ要求を送信するための手段と、上記１つ以上の装置から少なくとも１つのプローブ応答を受信するための手段とを含む。別の構成において、無線通信のための装置６００は、第１のプロトコルを使用し、ＲＳＳＩ測定値を使用して位置情報を決定するための手段を含む。別の構成において、無線通信のための装置６００は、第１のプロトコルを使用して得られたラウンドトリップ遅延時間測定値を使用して位置情報を決定するための手段を含む。別の構成において、無線通信のための装置６００は、リクエスト・ツー・センド・メッセージの発信時間と、クリア・ツー・センド・メッセージの到着時間とを使用して、ラウンドトリップ遅延時間測定値を得るための手段を含む。別の構成において、無線通信のための装置６００は、プローブメッセージの発信時間および肯定応答メッセージの到着時間を使用してラウンドトリップ遅延時間測定値を得るための手段を含む。別の構成において、無線通信のための装置６００は、上記１つ以上の装置のうちの１つを選択するための手段と、第２のプロトコルに関連づけられたトランシーバをアクティベートするよう選択されたノードを促すために第１のプロトコルを使用してセッション開始メッセージを送信するための手段と、上記１つ以上の装置のうちの選択された１つからビーコン情報を受信するための手段と、上記１つ以上の装置のうちの選択された１つとのビームトレーニングを実行するための手段とを含む。上記手段は、上記手段によって列記された機能を実行するように構成された処理システム６００である。前述したように、処理システム６００は、ＴＸプロセッサ５０２、ＲＸプロセッサ５１４、および、プロセッサ５０５および５１０を含む。そのようなものとして、１つの構成において、上記手段は、ＴＸプロセッサ５０２、ＲＸプロセッサ５１４、および、上記手段によって列記された機能を実行するように構成されたプロセッサ５０５および５１０であることができる。
【国際調査報告】
2013511914.tif 000010
2013511914.tif 000011
2013511914.tif 000012